(57)【要約】  ワイヤレス通信のための方法、システム、およびデバイスが説明される。第1の監視期間と関連付けられるスロットのセットのために、第1の監視期間の間に第1のスロットフォーマットインジケータ(SFI)を、基地局は送信することができ、ユーザ機器(UE)は受信することができる。第1の監視期間より時間長が短く第1の監視期間内にある第2の監視期間の間に第2のSFIを、基地局は送信することができ、UEは受信することができ、第2のSFIは第2の監視期間と関連付けられるスロットのサブセットのためのスロットフォーマットの指示を備える。基地局およびUEは、第1のSFIおよび第2のSFIに少なくとも一部基づいて、スロットのサブセットを介してワイヤレス通信を実行することができる。
2021507604.tif 000002
【特許請求の範囲】
【請求項１】
ワイヤレス通信のための方法であって、
第1の監視期間と関連付けられるスロットのセットのために、前記第1の監視期間の間に第1のスロットフォーマットインジケータ(SFI)を受信するステップと、
前記第1の監視期間より時間長が短く前記第1の監視期間内にある第2の監視期間の間に第2のSFIを受信するステップであって、前記第2のSFIが前記第2の監視期間と関連付けられる前記スロットのサブセットのためのスロットフォーマットの指示を備える、ステップと、
前記第1のSFIおよび前記第2のSFIに少なくとも一部基づいて、スロットの前記サブセットを介してワイヤレス通信を実行するステップとを備える、方法。
【請求項２】
前記ワイヤレス通信を実行するステップが、
前記第1のSFIおよび前記第2のSFIに少なくとも一部基づいて、スロットの前記サブセットの中のシンボルの少なくとも一部分の通信方向を特定するステップと、
前記特定された通信方向に少なくとも一部基づいて、スロットの前記サブセットを介して前記ワイヤレス通信を実行するステップとを備える、請求項1に記載の方法。
【請求項３】
スロットの前記サブセット内の1つまたは複数のシンボルに対して柔軟な通信方向を前記第1のSFIが示すと決定するステップと、
前記第2のSFIに少なくとも一部基づいて、前記1つまたは複数のシンボルの各々の通信方向を特定するステップとをさらに備える、請求項1に記載の方法。
【請求項４】
前記第1のSFIが、スロットの前記サブセットのための構成情報を特定して示す制御情報を備え、構成情報を特定する前記ステップが、前記第2のSFIに少なくとも一部基づいて、スロットの前記サブセットのためのスロットフォーマットを特定するステップを備える、請求項1に記載の方法。
【請求項５】
前記制御情報が、ランダムアクセスチャネル(RACH)リソースの指示、フレームフォーマット指示、またはこれらの組合せのうちの1つまたは複数を備える、請求項4に記載の方法。
【請求項６】
前記第2の監視期間より時間長が短く前記第2の監視期間内にある第3の監視期間の間に第3のSFIを受信するステップをさらに備え、前記第3のSFIが前記第3の監視期間と関連付けられるスロットのためのスロットフォーマットの指示を備える、請求項1に記載の方法。
【請求項７】
前記第1の監視期間が、発見基準信号(DRS)測定タイミング構成(DMTC)ウィンドウのためのものであり、前記第2の監視期間が、前記DMTCウィンドウ内にある送信機会(TxOP)のためのものであり、前記第3の監視期間が、前記TxOP内にある前記スロットのためのものである、請求項6に記載の方法。
【請求項８】
第1のダウンリンク制御インジケータ(DCI)フィールドにおいて前記第1のSFIを受信するステップと、
前記第1のDCIフィールドと異なる第2のDCIフィールドにおいて前記第2のSFIを受信するステップとをさらに備える、請求項1に記載の方法。
【請求項９】
共通のダウンリンク制御インジケータ(DCI)フィールドにおいて前記第1のSFIおよび前記第2のSFIを受信するステップと、
前記第1のSFI、前記第2のSFI、またはこれらの組合せを決定するために、前記共通のDCIフィールドに対してジョイント解釈または連結解除のうちの少なくとも1つを実行するステップとをさらに備える、請求項1に記載の方法。
【請求項１０】
前記第1の監視期間および前記第2の監視期間を示す構成メッセージを受信するステップをさらに備える、請求項1に記載の方法。
【請求項１１】
前記第1の監視期間が送信機会(TxOP)に対するものであり、前記第2の監視期間が前記TxOP内にある1つまたは複数の前記スロットに対するものである、請求項1に記載の方法。
【請求項１２】
スロットの前記サブセットが、1つのスロットまたは1つより多くのスロットを備える、請求項1に記載の方法。
【請求項１３】
ワイヤレス通信のための方法であって、
第1の監視期間と関連付けられるスロットのセットのために、前記第1の監視期間の間に第1のスロットフォーマットインジケータ(SFI)を送信するステップと、
前記第1の監視期間より時間長が短く前記第1の監視期間内にある第2の監視期間の間に第2のSFIを送信するステップであって、前記第2のSFIが前記第2の監視期間と関連付けられる前記スロットのサブセットのためのスロットフォーマットの指示を備える、ステップと、
前記第1のSFIおよび前記第2のSFIに少なくとも一部基づいて、スロットの前記サブセットを介してワイヤレス通信を実行するステップとを備える、方法。
【請求項１４】
前記ワイヤレス通信を実行するステップが、
前記第1のSFIおよび前記第2のSFIに少なくとも一部基づいて、スロットの前記サブセットの中のシンボルの少なくとも一部分の通信方向を特定するステップと、
前記特定された通信方向に少なくとも一部基づいて、スロットの前記サブセットを介して前記ワイヤレス通信を実行するステップとを備える、請求項13に記載の方法。
【請求項１５】
スロットの前記サブセット内の1つまたは複数のシンボルに対して柔軟な通信方向を前記第1のSFIが示すと決定するステップと、
前記1つまたは複数のシンボルの各々の通信方向を示すように前記第2のSFIを構成するステップとをさらに備える、請求項13に記載の方法。
【請求項１６】
スロットの前記サブセットのための構成情報を特定して示す制御情報を備えるように前記第1のSFIを構成するステップと、
スロットの前記サブセットのためのスロットフォーマットを示すように前記第2のSFIを構成するステップとをさらに備える、請求項13に記載の方法。
【請求項１７】
前記第2の監視期間より時間長が短く前記第2の監視期間内にある第3の監視期間の間に第3のSFIを送信するステップをさらに備え、前記第3のSFIが前記第3の監視期間と関連付けられるスロットのためのスロットフォーマットの指示を備える、請求項13に記載の方法。
【請求項１８】
前記第1の監視期間が、発見基準信号(DRS)測定タイミング構成(DMTC)ウィンドウのためのものであり、前記第2の監視期間が、前記DMTCウィンドウ内にある送信機会(TxOP)のためのものであり、前記第3の監視期間が、前記TxOP内にある前記スロットのためのものである、請求項17に記載の方法。
【請求項１９】
第1のダウンリンク制御インジケータ(DCI)フィールドにおいて前記第1のSFIを送信するステップと、
前記第1のDCIフィールドと異なる第2のDCIフィールドにおいて前記第2のSFIを送信するステップとをさらに備える、請求項13に記載の方法。
【請求項２０】
前記第1のSFIおよび前記第2のSFIを送信するために、共通のダウンリンク制御インジケータ(DCI)フィールドに対してジョイント符号化または連結のうちの少なくとも1つを実行するステップと、
前記第1のSFIおよび前記第2のSFIを示すために前記共通のDCIフィールドを送信するステップとをさらに備える、請求項13に記載の方法。
【請求項２１】
前記第1の監視期間および前記第2の監視期間を示す構成メッセージを送信するステップをさらに備える、請求項13に記載の方法。
【請求項２２】
ワイヤレス通信のための装置であって、
第1の監視期間と関連付けられるスロットのセットのために、前記第1の監視期間の間に第1のスロットフォーマットインジケータ(SFI)を受信するための手段と、
前記第1の監視期間より時間長が短く前記第1の監視期間内にある第2の監視期間の間に第2のSFIを受信するための手段であって、前記第2のSFIが前記第2の監視期間と関連付けられる前記スロットのサブセットのためのスロットフォーマットの指示を備える、手段と、
前記第1のSFIおよび前記第2のSFIに少なくとも一部基づいて、スロットの前記サブセットを介してワイヤレス通信を実行するための手段とを備える、装置。
【請求項２３】
前記ワイヤレス通信を実行するための前記手段が、
前記第1のSFIおよび前記第2のSFIに少なくとも一部基づいて、スロットの前記サブセットの中のシンボルの少なくとも一部分の通信方向を特定するための手段と、
前記特定された通信方向に少なくとも一部基づいて、スロットの前記サブセットを介して前記ワイヤレス通信を実行するための手段とを備える、請求項22に記載の装置。
【請求項２４】
スロットの前記サブセット内の1つまたは複数のシンボルに対して柔軟な通信方向を前記第1のSFIが示すと決定するための手段と、
前記第2のSFIに少なくとも一部基づいて、前記1つまたは複数のシンボルの各々の通信方向を特定するための手段とをさらに備える、請求項22に記載の装置。
【請求項２５】
前記第1のSFIが、スロットの前記サブセットのための構成情報を特定して示す制御情報を備え、
前記第2のSFIに少なくとも一部基づいて、スロットの前記サブセットのためのスロットフォーマットを特定するための手段をさらに備える、請求項22に記載の装置。
【請求項２６】
ワイヤレス通信のための装置であって、
第1の監視期間と関連付けられるスロットのセットのために、前記第1の監視期間の間に第1のスロットフォーマットインジケータ(SFI)を送信するための手段と、
前記第1の監視期間より時間長が短く前記第1の監視期間内にある第2の監視期間の間に第2のSFIを送信するための手段であって、前記第2のSFIが前記第2の監視期間と関連付けられる前記スロットのサブセットのためのスロットフォーマットの指示を備える、手段と、
前記第1のSFIおよび前記第2のSFIに少なくとも一部基づいて、スロットの前記サブセットを介してワイヤレス通信を実行するための手段とを備える、装置。
【請求項２７】
前記ワイヤレス通信を実行するための前記手段が、
前記第1のSFIおよび前記第2のSFIに少なくとも一部基づいて、スロットの前記サブセットの中のシンボルの少なくとも一部分の通信方向を特定するための手段と、
前記特定された通信方向に少なくとも一部基づいて、スロットの前記サブセットを介して前記ワイヤレス通信を実行するための手段とを備える、請求項26に記載の装置。
【請求項２８】
スロットの前記サブセット内の1つまたは複数のシンボルに対して柔軟な通信方向を前記第1のSFIが示すと決定するための手段と、
前記1つまたは複数のシンボルの各々の通信方向を示すように前記第2のSFIを構成するための手段とをさらに備える、請求項26に記載の装置。
【請求項２９】
スロットの前記サブセットのための構成情報を特定して示す制御情報を備えるように前記第1のSFIを構成するための手段と、
スロットの前記サブセットのためのスロットフォーマットを示すように前記第2のSFIを構成するための手段とをさらに備える、請求項26に記載の装置。
【請求項３０】
前記第2の監視期間より時間長が短く前記第2の監視期間内にある第3の監視期間の間に第3のSFIを送信するための手段をさらに備え、前記第3のSFIが前記第3の監視期間と関連付けられるスロットのためのスロットフォーマットの指示を備える、請求項26に記載の装置。
【発明の詳細な説明】
【技術分野】
【０００１】
相互参照
本特許出願は、2018年12月11日に出願された「MULTI-LEVEL SLOT FORMAT INDICATOR」という表題のSUN他による米国特許出願第16/216,641号、および2017年12月19日に出願された「MULTI-LEVEL SLOT FORMAT INDICATOR」という表題のSUN他による米国仮特許出願第62/607,758号の優先権を主張し、これらの各々が、本出願の譲受人に譲渡され、その全体が本明細書に参照によって明確に組み込まれる。
【０００２】
以下は全般に、ワイヤレス通信に関し、より具体的には、マルチレベルスロットフォーマットインジケータ(SFI)に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することにより、複数のユーザとの通信をサポートすることが可能であり得る。そのような多元接続システムの例には、Long Term Evolution(LTE)システム、LTE-Advanced(LTE-A)システムまたはLTE-A Proシステムなどの第4世代(4G)システム、およびNew Radio(NR)システムと呼ばれることがある第5世代(5G)システムがある。これらのシステムは、符号分割多元接続(CDMA)、時分割多元接続(TDMA)、周波数分割多元接続(FDMA)、直交周波数分割多元接続(OFDMA)、または離散フーリエ変換拡散直交周波数分割多重化(DFT-s-OFDM)などの技術を利用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【０００４】
いくつかのワイヤレス通信システムは、SFIシグナリングをサポートし得る。一般に、SFIは、1つまたは複数のスロットのためのフォーマットを示すビットのセットを含み得る。フォーマットは、スロットのための直交周波数分割多重化(OFDM)シンボルが、アップリンク通信のために構成されるか、ダウンリンク通信のために構成されるか、またはたとえばOFDMシンボルの通信方向などの未知の通信のために構成されるか、を含み得る。SFIの監視期間(たとえば、SFI指示がカバーする時間長またはスロットの数)は一般に、たとえば無線リソース制御(RRC)信号において、ネットワークによって構成される。UEは、SFIを検出するために制御信号を監視し、次いで、カバーされたスロットの間のワイヤレス通信のために示されたスロットフォーマットを使用し得る。これはいくつかの状況においては適切であり得るが、UEがSFI指示を検出できないときなどの、一部のシナリオでは課題があり得る。たとえば、デバイスは媒体を確保することが可能ではないことがあり、かつ/または、チャネルが送信をサポートしないことがあるので、デバイスは、たとえばSFI指示を送信することなどの、情報の通信を行うことができない。この事例では、UEは監視期間のためのスロットフォーマットを知らない。
【発明の概要】
【課題を解決するための手段】
【０００５】
説明される技法は、マルチレベルスロットフォーマットインジケータ(SFI)をサポートする、改善された方法、システム、デバイス、または装置に関する。一般に、説明される技法は複数のレベルのSFI指示を可能にし、各SFIレベルは異なる監視期間と関連付けられる。すなわち、第2レベルSFI(より低いレベルのSFI)の監視期間は、第1レベルSFI(より高いレベルのSFI)の監視期間のサブセットであり得る(またはその監視期間内にあり得る)。いくつかの態様では、第1レベルSFIの監視期間内に入れ子にされる、第2レベルSFIのいくつかの監視期間があり得る。いくつかの態様では、第2レベルSFIの監視期間内に入れ子にされる、第3レベルSFIの監視期間があり得る。したがって、複数レベルのSFI(たとえば、2つのSFIレベル、3つのSFIレベル、4つのSFIレベルなど)を基地局は送信することができ(およびユーザ機器(UE)は受信することができ)、各レベルは固有の監視期間を有し、各々のより低いSFIレベルは、それより上のより高いSFIレベルの監視期間より時間長が短い、かつその監視期間内にある、監視期間を有する。UEおよび基地局は、示されたSFIに従ってワイヤレス通信を実行し得る。
【０００６】
ワイヤレス通信の方法が説明される。方法は、第1の監視期間と関連付けられるスロットのセットのために第1の監視期間の間に第1のSFIを受信するステップと、第1の監視期間より時間長が短く第1の監視期間内にある第2の監視期間の間に第2のSFIを受信するステップであって、第2のSFIが第2の監視期間と関連付けられるスロットのサブセットのためのスロットフォーマットの指示を備える、ステップと、第1のSFIおよび第2のSFIに少なくとも一部基づいて、スロットのサブセットを介してワイヤレス通信を実行するステップとを含み得る。
【０００７】
ワイヤレス通信のための装置が説明される。装置は、第1の監視期間と関連付けられるスロットのセットのために第1の監視期間の間に第1のSFIを受信するための手段と、第1の監視期間より時間長が短く第1の監視期間内にある第2の監視期間の間に第2のSFIを受信するための手段であって、第2のSFIが第2の監視期間と関連付けられるスロットのサブセットのためのスロットフォーマットの指示を備える、手段と、第1のSFIおよび第2のSFIに少なくとも一部基づいて、スロットのサブセットを介してワイヤレス通信を実行するための手段とを含み得る。
【０００８】
ワイヤレス通信のための別の装置が説明される。装置は、プロセッサと、プロセッサと電子的に通信しているメモリと、メモリに記憶された命令とを含み得る。命令は、プロセッサに、第1の監視期間と関連付けられるスロットのセットのために第1の監視期間の間に第1のSFIを受信させ、第1の監視期間より時間長が短く第1の監視期間内にある第2の監視期間の間に第2のSFIを受信させ、第2のSFIが第2の監視期間と関連付けられるスロットのサブセットのためのスロットフォーマットの指示を備え、第1のSFIおよび第2のSFIに少なくとも一部基づいて、スロットのサブセットを介してワイヤレス通信を実行させるように動作可能であり得る。
【０００９】
ワイヤレス通信のための非一時的コンピュータ可読媒体が説明される。非一時的コンピュータ可読媒体は、プロセッサに、第1の監視期間と関連付けられるスロットのセットのために第1の監視期間の間に第1のSFIを受信させ、第1の監視期間より時間長が短く第1の監視期間内にある第2の監視期間の間に第2のSFIを受信させ、第2のSFIが第2の監視期間と関連付けられるスロットのサブセットのためのスロットフォーマットの指示を備え、第1のSFIおよび第2のSFIに少なくとも一部基づいて、スロットのサブセットを介してワイヤレス通信を実行させるように動作可能な命令を含み得る。
【００１０】
上で説明された方法、装置、および非一時的コンピュータ可読媒体のいくつかの例では、ワイヤレス通信を実行することは、第1のSFIおよび第2のSFIに少なくとも一部基づいて、スロットのサブセットの中のシンボルの少なくとも一部分の通信方向を特定することを備える。上で説明された方法、装置、および非一時的コンピュータ可読媒体のいくつかの例はさらに、特定された通信方向に少なくとも一部基づいて、スロットのサブセットを介してワイヤレス通信を実行するためのプロセス、特徴、手段、または命令を含み得る。
【００１１】
上で説明された方法、装置、および非一時的コンピュータ可読媒体のいくつかの例はさらに、第1のSFIがスロットのサブセット内の1つまたは複数のシンボルのための柔軟な通信方向を示すことを決定するためのプロセス、特徴、手段、または命令を含み得る。上で説明された方法、装置、および非一時的コンピュータ可読媒体のいくつかの例はさらに、第2のSFIに少なくとも一部基づいて、1つまたは複数のシンボルの各々の通信方向を特定するためのプロセス、特徴、手段、または命令を含み得る。
【００１２】
上で説明された方法、装置、および非一時的コンピュータ可読媒体のいくつかの例はさらに、スロットのサブセットのための構成情報を特定して示す制御情報を備えるように第1のSFIを構成するためのプロセス、特徴、手段、または命令を含むことがあり、構成情報を特定することは、第2のSFIに少なくとも一部基づいて、スロットのサブセットのためのスロットフォーマットを特定することを備える。
【００１３】
上で説明された方法、装置、および非一時的コンピュータ可読媒体のいくつかの例では、制御情報は、ランダムアクセスチャネル(RACH)リソースの指示、フレームフォーマット指示、またはこれらの組合せのうちの1つまたは複数を備える。
【００１４】
上で説明された方法、装置、および非一時的コンピュータ可読媒体のいくつかの例はさらに、第2の監視期間より時間長が短いことがあり第2の監視期間内にある第3の監視期間の間に第3のSFIを受信するためのプロセス、特徴、手段、または命令を含むことがあり、第3のSFIは、第3の監視期間と関連付けられるスロットのためのスロットフォーマットの指示を備える。
【００１５】
上で説明された方法、装置、および非一時的コンピュータ可読媒体のいくつかの例では、第1の監視期間は、発見基準信号(DRS)測定タイミング構成(DMTC)ウィンドウのためのものであることがあり、第2の監視期間は、DMTCウィンドウ内にある送信機会(TxOP)のためのものであることがあり、第3の監視期間は、TxOP内にあるスロットのためのものであることがある。
【００１６】
上で説明された方法、装置、および非一時的コンピュータ可読媒体のいくつかの例はさらに、第1のダウンリンク制御インジケータ(DCI)フィールドにおいて第1のSFIを受信するためのプロセス、特徴、手段、または命令を含み得る。上で説明された方法、装置、および非一時的コンピュータ可読媒体のいくつかの例はさらに、第1のDCIフィールドと異なり得る第2のDCIフィールドにおいて第2のSFIを受信するためのプロセス、特徴、手段、または命令を含み得る。
【００１７】
上で説明された方法、装置、および非一時的コンピュータ可読媒体のいくつかの例はさらに、共通のDCIフィールドにおいて第1のSFIおよび第2のSFIを受信するためのプロセス、特徴、手段、または命令を含み得る。上で説明された方法、装置、および非一時的コンピュータ可読媒体のいくつかの例はさらに、第1のSFI、第2のSFI、または組合せを決定するために、共通のDCIフィールド上でジョイント解釈(joint interpretation)または連結解除(deconcatenation)のうちの少なくとも1つを実行するためのプロセス、特徴、手段、または命令を含み得る。
【００１８】
上で説明された方法、装置、および非一時的コンピュータ可読媒体のいくつかの例はさらに、第1の監視期間および第2の監視期間を示す構成メッセージを受信するためのプロセス、特徴、手段、または命令を含み得る。
【００１９】
上で説明された方法、装置、および非一時的コンピュータ可読媒体のいくつかの例では、第1の監視期間はTxOPのためのものであることがあり、第2の監視期間はTxOP内にある1つまたは複数スロットのためのものであることがある。
【００２０】
上で説明された方法、装置、および非一時的コンピュータ可読媒体のいくつかの例では、スロットのサブセットは1つのスロットまたは1つより多くのスロットを備える。
【００２１】
ワイヤレス通信の方法が説明される。方法は、第1の監視期間と関連付けられるスロットのセットのために第1の監視期間の間に第1のSFIを送信するステップと、第1の監視期間より時間長が短く第1の監視期間内にある第2の監視期間の間に第2のSFIを送信するステップであって、第2のSFIが第2の監視期間と関連付けられるスロットのサブセットのためのスロットフォーマットの指示を備える、ステップと、第1のSFIおよび第2のSFIに少なくとも一部基づいて、スロットのサブセットを介してワイヤレス通信を実行するステップとを含み得る。
【００２２】
ワイヤレス通信のための装置が説明される。装置は、第1の監視期間と関連付けられるスロットのセットのために第1の監視期間の間に第1のSFIを送信するための手段と、第1の監視期間より時間長が短く第1の監視期間内にある第2の監視期間の間に第2のSFIを送信するための手段であって、第2のSFIが第2の監視期間と関連付けられるスロットのサブセットのためのスロットフォーマットの指示を備える、手段と、第1のSFIおよび第2のSFIに少なくとも一部基づいて、スロットのサブセットを介してワイヤレス通信を実行するための手段とを含み得る。
【００２３】
ワイヤレス通信のための別の装置が説明される。装置は、プロセッサと、プロセッサと電子的に通信しているメモリと、メモリに記憶された命令とを含み得る。命令は、プロセッサに、第1の監視期間と関連付けられるスロットのセットのために第1の監視期間の間に第1のSFIを送信させ、第1の監視期間より時間長が短く第1の監視期間内にある第2の監視期間の間に第2のSFIを送信させ、第2のSFIが第2の監視期間と関連付けられるスロットのサブセットのためのスロットフォーマットの指示を備え、第1のSFIおよび第2のSFIに少なくとも一部基づいて、スロットのサブセットを介してワイヤレス通信を実行させるように動作可能であり得る。
【００２４】
ワイヤレス通信のための非一時的コンピュータ可読媒体が説明される。非一時的コンピュータ可読媒体は、プロセッサに、第1の監視期間と関連付けられるスロットのセットのために第1の監視期間の間に第1のSFIを送信させ、第1の監視期間より時間長が短く第1の監視期間内にある第2の監視期間の間に第2のSFIを送信させ、第2のSFIが第2の監視期間と関連付けられるスロットのサブセットのためのスロットフォーマットの指示を備え、第1のSFIおよび第2のSFIに少なくとも一部基づいて、スロットのサブセットを介してワイヤレス通信を実行させるように動作可能な命令を含み得る。
【００２５】
上で説明された方法、装置、および非一時的コンピュータ可読媒体のいくつかの例では、ワイヤレス通信を実行することは、第1のSFIおよび第2のSFIに少なくとも一部基づいて、スロットのサブセットの中のシンボルの少なくとも一部分の通信方向を特定することを備える。上で説明された方法、装置、および非一時的コンピュータ可読媒体のいくつかの例はさらに、特定された通信方向に少なくとも一部基づいて、スロットのサブセットを介してワイヤレス通信を実行するためのプロセス、特徴、手段、または命令を含み得る。
【００２６】
上で説明された方法、装置、および非一時的コンピュータ可読媒体のいくつかの例はさらに、第1のSFIがスロットのサブセット内の1つまたは複数のシンボルのための柔軟な通信方向を示すことを決定するためのプロセス、機能、手段、または命令を含み得る。上で説明された方法、装置、および非一時的コンピュータ可読媒体のいくつかの例はさらに、1つまたは複数のシンボルの各々の通信方向を示すように第2のSFIを構成するためのプロセス、特徴、手段、または命令を含み得る。
【００２７】
上で説明された方法、装置、および非一時的コンピュータ可読媒体のいくつかの例はさらに、スロットのサブセットのための構成情報を特定して示す制御情報を備えるように第1のSFIを構成するためのプロセス、特徴、手段、または命令を含み得る。上で説明された方法、装置、および非一時的コンピュータ可読媒体のいくつかの例はさらに、スロットのサブセットのためのスロットフォーマットを示すように第2のSFIを構成するためのプロセス、特徴、手段、または命令を含み得る。
【００２８】
上で説明された方法、装置、および非一時的コンピュータ可読媒体のいくつかの例はさらに、第2の監視期間より時間長が短いことがあり第2の監視期間内にある第3の監視期間の間に第3のSFIを送信するためのプロセス、特徴、手段、または命令を含むことがあり、第3のSFIは、第3の監視期間と関連付けられるスロットのためのスロットフォーマットの指示を備える。
【００２９】
上で説明された方法、装置、および非一時的コンピュータ可読媒体のいくつかの例では、第1の監視期間は、DMTCウィンドウのためのものであることがあり、第2の監視期間は、DMTCウィンドウ内にあるTxOPのためのものであることがあり、第3の監視期間は、TxOP内にあるスロットのためのものであることがある。
【００３０】
上で説明された方法、装置、および非一時的コンピュータ可読媒体のいくつかの例はさらに、第1のDCIフィールドにおいて第1のSFIを送信するためのプロセス、特徴、手段、または命令を含み得る。上で説明された方法、装置、および非一時的コンピュータ可読媒体のいくつかの例はさらに、第1のDCIフィールドと異なり得る第2のDCIフィールドにおいて第2のSFIを送信するためのプロセス、特徴、手段、または命令を含み得る。
【００３１】
上で説明された方法、装置、および非一時的コンピュータ可読媒体のいくつかの例はさらに、第1のSFIおよび第2のSFIを送信するために、共通のDCIフィールド上でジョイント符号化または連結のうちの少なくとも1つを実行するためのプロセス、特徴、手段、または命令を含み得る。上で説明された方法、装置、および非一時的コンピュータ可読媒体のいくつかの例はさらに、第1のSFIおよび第2のSFIを示すために共通のDCIフィールドを送信するためのプロセス、特徴、手段、または命令を含み得る。
【００３２】
上で説明された方法、装置、および非一時的コンピュータ可読媒体のいくつかの例はさらに、第1の監視期間および第2の監視期間を示す構成メッセージを送信するためのプロセス、特徴、手段、または命令を含み得る。
【図面の簡単な説明】
【００３３】
【図１】本開示の態様による、マルチレベルスロットフォーマットインジケータ(SFI)をサポートするワイヤレス通信システムの例を示す図である。
【図２】本開示の態様による、マルチレベルSFIをサポートするSFI構成の例を示す図である。
【図３】本開示の態様による、マルチレベルSFIをサポートするSFI構成の例を示す図である。
【図４】本開示の態様による、マルチレベルSFIをサポートするSFIテーブルの例を示す図である。
【図５】本開示の態様による、マルチレベルSFIをサポートするSFI構成の例を示す図である。
【図６】本開示の態様による、マルチレベルSFIをサポートするプロセスの例を示す図である。
【図７】本開示の態様による、マルチレベルSFIをサポートするワイヤレスデバイスのブロック図である。
【図８】本開示の態様による、マルチレベルSFIをサポートするワイヤレスデバイスのブロック図である。
【図９】本開示の態様による、マルチレベルSFIをサポートするユーザ機器(UE)通信マネージャのブロック図である。
【図１０】本開示の態様による、マルチレベルSFIをサポートするデバイスを含むシステムのブロック図である。
【図１１】本開示の態様による、マルチレベルSFIをサポートするワイヤレスデバイスのブロック図である。
【図１２】本開示の態様による、マルチレベルSFIをサポートするワイヤレスデバイスのブロック図である。
【図１３】本開示の態様による、マルチレベルSFIをサポートする基地局通信マネージャのブロック図である。
【図１４】本開示の態様による、マルチレベルSFIをサポートするデバイスを含むシステムのブロック図である。
【図１５】本開示の態様による、マルチレベルSFIのための方法を示すフローチャートである。
【図１６】本開示の態様による、マルチレベルSFIのための方法を示すフローチャートである。
【図１７】本開示の態様による、マルチレベルSFIのための方法を示すフローチャートである。
【図１８】本開示の態様による、マルチレベルSFIのための方法を示すフローチャートである。
【発明を実施するための形態】
【００３４】
いくつかのワイヤレス通信システムは、スロットフォーマットインジケータ(SFI)指示をサポートし得る。SFIは一般に、1つまたは複数のスロットのためのスロットフォーマットを特定する制御信号において基地局からユーザ機器(UE)に搬送されるビットを指し得る。SFIは、SFI指示が適用可能であるスロットの数と関連付けられる監視期間を有し得る。UEは、SFI指示を受信し、それらのビットを使用して監視期間内のスロットのためのスロットフォーマットを決定し、次いで、スロットフォーマットに従って基地局とのワイヤレス通信を実行し得る。一般に、スロットフォーマットは、スロット内の各直交周波数分割多重化(OFDM)シンボルに対して、通信がダウンリンク通信であるか、アップリンク通信であるか、または未知の通信であるかの指示を含み得る。いくつかの態様では、UEは、スロットフォーマットを決定するために、SFI指示のビットを使用してSFIテーブルにアクセスし得る。UEがSFI指示を受信しない事例では、UEは、ワイヤレス通信のために使用すべきスロットフォーマット(たとえば、通信方向)を知らないことがある。
【００３５】
最初にワイヤレス通信システムの文脈で本開示の態様が説明される。説明される技法の態様は一般に、複数レベルのSFI指示の使用を可能にする。一般に、より高いレベルのSFIはより稀に送信され、より長い期間をカバーすることがあり、より低いレベルのSFIは、より頻繁に送信されることがあり、より高いレベルのSFIによってカバーされる期間に埋め込まれることがある。いくつかの態様では、より高いレベルのSFI(または第1のSFI)が、より長い期間(第1の監視期間)の間スロットフォーマットまたは他の構成情報の指示を提供することがあり、より低いレベルのSFI(または第2のSFI)が、短い期間(第2の監視期間)の間スロットフォーマットの指示を提供することがある。より多くのレベルのSFIも示され得る。したがって、第1のSFIは、第1の監視期間のためのスロットフォーマットまたは構成情報を提供することができ、第2のSFIは、第2の監視期間(第1の監視期間内にある)のためのスロットフォーマットまたは構成情報を提供することができ、以下同様である。いくつかの態様では、より低いレベルのSFIは、たとえば基地局におけるスケジューリングの変化により、より高いレイヤのSFI指示を上書きし、または取り替えてよい。いくつかの態様では、より低いレベルのSFIは、より高いレイヤのSFIを上書きせず、または取り替えなくてよいが、代わりに、フォーマットまたは構成情報に加わってよく、たとえば、より高いレベルのSFIにおいて知られていないものとしてスケジューリングされたシンボルをダウンリンク通信またはアップリンク通信に割り当ててよい。いくつかの態様では、UEは、たとえば無線リソース制御(RRC)シグナリングを介して、マルチレベルSFI指示をどのように解釈するかということを用いて構成され得る。したがって、UEおよび基地局は次いで、示されたマルチレベルSFIに基づいてワイヤレス通信を実行し得る。
【００３６】
本開示の態様はさらに、マルチレベルSFIに関する、装置図、システム図、およびフローチャートによって示され、それらを参照して説明される。
【００３７】
図1は、本開示の態様による、マルチレベルSFIをサポートするワイヤレス通信システム100の例を示す。ワイヤレス通信システム100は、基地局105と、UE115と、コアネットワーク130とを含む。いくつかの例では、ワイヤレス通信システム100は、Long Term Evolution(LTE)ネットワーク、LTE Advanced(LTE-A)ネットワーク、LTE-A Proネットワーク、またはNew Radio(NR)ネットワークであり得る。いくつかの場合、ワイヤレス通信システム100は、拡張ブロードバンド通信、超高信頼性(たとえば、ミッションクリティカル)通信、低レイテンシ通信、または低コストで低複雑度のデバイスとの通信をサポートし得る。
【００３８】
基地局105は、1つまたは複数の基地局アンテナを介してUE115とワイヤレスに通信し得る。本明細書で説明される基地局105は、基地トランシーバ局、無線基地局、アクセスポイント、無線トランシーバ、NodeB、eNodeB(eNB)、(そのいずれもgNBと呼ばれることがある)次世代NodeBもしくはgiga-nodeB、Home NodeB、Home eNodeB、または何らかの他の好適な用語を含むことがあり、またはそのように当業者によって呼ばれることがある。ワイヤレス通信システム100は、異なるタイプの基地局105(たとえば、マクロセル基地局またはスモールセル基地局)を含み得る。本明細書で説明されるUE115は、マクロeNB、スモールセルeNB、gNB、リレー基地局などを含む、様々なタイプの基地局105およびネットワーク機器と通信することが可能であり得る。
【００３９】
各基地局105は、様々なUE115との通信がサポートされる特定の地理的カバレッジエリア110と関連付けられ得る。各基地局105は、通信リンク125を介してそれぞれの地理的カバレッジエリア110のための通信カバレッジを提供することができ、基地局105とUE115との間の通信リンク125は、1つまたは複数のキャリアを利用することができる。ワイヤレス通信システム100において示される通信リンク125は、UE115から基地局105へのアップリンク送信、または基地局105からUE115へのダウンリンク送信を含み得る。ダウンリンク送信は順方向リンク送信と呼ばれることもあり、アップリンク送信は逆方向リンク送信と呼ばれることもある。
【００４０】
基地局105のための地理的カバレッジエリア110は、地理的カバレッジエリア110の一部分のみを構成するセクタに分割されることがあり、各セクタはセルと関連付けられることがある。たとえば、各基地局105は、マクロセル、スモールセル、ホットスポット、もしくは他のタイプのセル、またはそれらの様々な組合せのための通信カバレッジを提供し得る。いくつかの例では、基地局105は可動であり、したがって、移動している地理的カバレッジエリア110のための通信カバレッジを提供し得る。いくつかの例では、異なる技術と関連付けられる異なる地理的カバレッジエリア110は、重複することがあり、異なる技術と関連付けられる、重複する地理的カバレッジエリア110は、同じ基地局105によって、または異なる基地局105によってサポートされることがある。ワイヤレス通信システム100は、たとえば、異なるタイプの基地局105が様々な地理的カバレッジエリア110のためのカバレッジを提供する異種LTE/LTE-A/LTE-A ProまたはNRネットワークを含み得る。
【００４１】
「セル」という用語は、(たとえば、キャリア上での)基地局105との通信のために使用される論理通信エンティティを指し、同じまたは異なるキャリアを介して動作する近隣のセルを区別するための識別子(たとえば、物理セル識別子(PCID)、仮想セル識別子(VCID))と関連付けられ得る。いくつかの例では、キャリアは、複数のセルをサポートすることがあり、異なるセルは、異なるタイプのデバイスのためのアクセスを提供し得る異なるプロトコルタイプ(たとえば、マシンタイプ通信(MTC)、狭帯域Internet-of-Things(NB-IoT)、拡張モバイルブロードバンド(eMBB)、または他のもの)に従って構成され得る。いくつかの場合、「セル」という用語は、その上で論理エンティティが動作する地理的カバレッジエリア110(たとえば、セクタ)の一部分を指し得る。
【００４２】
UE115は、ワイヤレス通信システム100全体にわたって分散していることがあり、各UE115は固定式または移動式であり得る。UE115は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。UE115はまた、携帯電話、携帯情報端末(PDA)、タブレットコンピュータ、ラップトップコンピュータ、またはパーソナルコンピュータなどの個人用電子デバイスであり得る。いくつかの例では、UE115はまた、ワイヤレスローカルループ(WLL)局、Internet of Things(IoT)デバイス、Internet of Everything(IoE)デバイス、またはMTCデバイスなどを指すことがあり、これらは、家電機器、車両、メーターなどの様々な物品において実装されることがある。
【００４３】
MTCデバイスまたはIoTデバイスなどの、いくつかのUE115は、低コストまたは低複雑度のデバイスであることがあり、機械間の自動化された通信(たとえば、マシンツーマシン(M2M)通信を介した)を可能にすることがある。M2M通信またはMTCは、人が介在することなく、デバイスが互いにまたは基地局105と通信することを可能するデータ通信技術を指すことがある。いくつかの例では、M2M通信またはMTCは、センサーまたはメーターを統合して情報を測定または捕捉し、その情報を利用できる中央サーバもしくはアプリケーションプログラムにその情報を中継するか、またはプログラムもしくはアプリケーションと対話する人に情報を提示するデバイスからの通信を含み得る。いくつかのUE115は、情報を収集し、または機械の自動化された挙動を可能にするように設計され得る。MTCデバイスの用途の例は、スマートメータリング、在庫モニタリング、水位モニタリング、機器モニタリング、医療モニタリング、野生生物モニタリング、天候および地質学的事象モニタリング、船団管理および追跡、リモートセキュリティ感知、物理的アクセス制御、ならびにトランザクションベースのビジネス課金を含む。
【００４４】
一部のUE115は、半二重通信(たとえば、送信または受信を介した一方向通信をサポートするが、同時の送信および受信をサポートしないモード)などの、電力消費を減らす動作モードを利用するように構成され得る。いくつかの例では、半二重通信は、低減されたピークレートで実行され得る。UE115のための他の電力節約技法は、アクティブな通信に関与しないとき、または(たとえば、狭帯域通信に従って)限られた帯域幅にわたって動作しているとき、電力を節約する「ディープスリープ」モードに入ることを含む。いくつかの場合、UE115は、重要な機能(たとえば、ミッションクリティカル機能)をサポートするように設計されることがあり、ワイヤレス通信システム100はこれらの機能のために超高信頼性通信を提供するように構成されることがある。
【００４５】
いくつかの場合、UE115はまた、(たとえば、ピアツーピア(P2P)またはデバイスツーデバイス(D2D)プロトコルを使用して)他のUE115と直接通信することが可能であり得る。D2D通信を利用するUE115のグループのうちの1つまたは複数が、基地局105の地理的カバレッジエリア110内にあり得る。そのようなグループ中の他のUE115は、基地局105の地理的カバレッジエリア110の外にあるか、または別様に基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105が、D2D通信のためのリソースのスケジューリングを促進する。他の場合には、D2D通信は、基地局105が関与することなくUE115間で行われる。
【００４６】
基地局105は、コアネットワーク130および互いと通信し得る。たとえば、基地局105は、バックホールリンク132を通じて(たとえば、S1または他のインターフェースを介して)コアネットワーク130とインターフェースし得る。基地局105は、バックホールリンク134上で(たとえば、X2または他のインターフェースを介して)、直接(たとえば、基地局105間で直接)または間接的に(たとえば、コアネットワーク130を介して)のいずれかで互いと通信し得る。
【００４７】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、evolved packet core(EPC)であってよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、EPCと関連付けられる基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００４８】
基地局105などのネットワークデバイスのうちの少なくともいくつかは、アクセスネットワークエンティティなどの下位構成要素を含むことがあり、アクセスネットワークエンティティは、アクセスノードコントローラ(ANC)の例であることがある。各アクセスネットワークエンティティは、無線ヘッド、スマート無線ヘッド、または送受信ポイント(TRP)と呼ばれ得る、いくつかの他のアクセスネットワーク送信エンティティを通じて、UE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されることがあり、または単一のネットワークデバイス(たとえば、基地局105)内に統合されることがある。
【００４９】
ワイヤレス通信システム100は、通常は300MHzから300GHzの範囲にある、1つまたは複数の周波数帯域を使用して動作し得る。一般に、300MHzから3GHzの領域は、超高周波(UHF)領域またはデシメートル帯域として知られているが、これは、波長がおよそ1デシメートルから1メートルに及ぶからである。UHF波は、建物および環境特性によって遮蔽されることがあり、または方向転換されることがある。しかしながら、これらの波は、マクロセルが屋内に位置するUE115にサービスを提供するのに十分に構造を貫通し得る。UHF波の送信は、300MHz以下のスペクトルの高周波(HF)部分または超高周波(VHF)部分のより低い周波数およびより長い波を使用する送信と比較して、より小型のアンテナおよびより短い距離(たとえば、100km未満)と関連付けられ得る。
【００５０】
ワイヤレス通信システム100はまた、センチメートル帯域としても知られている、3GHzから30GHzまでの周波数帯域を使用する超高周波(SHF)領域の中で動作し得る。SHF領域は、他のユーザからの干渉を許容し得るデバイスによって日和見的に使用され得る5GHz産業科学医療(ISM)帯域などの帯域を含む。
【００５１】
ワイヤレス通信システム100は、ミリメートル帯域としても知られている、(たとえば、30GHzから300GHzの)スペクトルの極高周波(EHF)領域においても動作し得る。いくつかの例では、ワイヤレス通信システム100は、UE115と基地局105との間のミリメートル波(mmW)通信をサポートすることができ、それぞれのデバイスのEHFアンテナは、UHFアンテナよりも、さらに小さいことがあり、より間隔が密であることがある。いくつかの場合、これは、UE115内でのアンテナアレイの使用を容易にし得る。しかしながら、EHF送信の伝搬は、SHF送信またはUHF送信よりもさらに大きい大気減衰を受けることがあり、より距離が短いことがある。本明細書で開示される技法は、1つまたは複数の異なる周波数領域を使用する送信にわたって利用されることがあり、これらの周波数領域にわたる帯域の指定された使用は、国ごとにまたは規制団体ごとに異なり得る。
【００５２】
いくつかの場合、ワイヤレス通信システム100は、免許無線周波数スペクトル帯域と免許不要無線周波数スペクトル帯域の両方を利用し得る。たとえば、ワイヤレス通信システム100は、5 GHz ISM帯域などの免許不要帯域において、License Assisted Access(LAA)、LTE Unlicensed(LTE-U)無線アクセス技術、またはNR技術を利用し得る。免許不要無線周波数スペクトル帯域で動作するとき、基地局105およびUE115などのワイヤレスデバイスは、データを送信する前に周波数チャネルがクリアであることを保証するために、リッスンビフォアトーク(LBT)手順を利用し得る。いくつかの場合、免許不要帯域における動作は、免許帯域において動作するCCとともにCA構成に基づき得る(たとえば、LAA)。免許不要スペクトルでの動作は、ダウンリンク送信、アップリンク送信、ピアツーピア送信、またはこれらの組合せを含み得る。免許不要スペクトルにおける複信は、周波数分割複信(FDD)、時分割複信(TDD)、またはその両方の組合せに基づき得る。
【００５３】
いくつかの例では、基地局105またはUE115は複数のアンテナを装備することがあり、これらは、送信ダイバーシティ、受信ダイバーシティ、多入力多出力(MIMO)通信、またはビームフォーミングなどの技法を利用するために使用されることがある。たとえば、ワイヤレス通信システム100は、送信デバイス(たとえば、基地局105)と受信デバイス(たとえば、UE115)との間である送信方式を使用することができ、ここで、送信デバイスは、複数のアンテナを装備し、受信デバイスは、1つまたは複数のアンテナを装備する。MIMO通信は、異なる空間レイヤを介して複数の信号を送信または受信することによってスペクトル効率を高めるためにマルチパス信号伝搬を利用することがあり、これは空間多重化と呼ばれることがある。複数の信号は、たとえば、異なるアンテナまたはアンテナの異なる組合せを介して送信デバイスによって送信され得る。同様に、複数の信号が、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームと関連付けられるビットを搬送し得る。異なる空間レイヤは、チャネル測定および報告のために使用される異なるアンテナポートに関連付けられ得る。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００５４】
空間フィルタリング、指向性送信、または指向性受信とも呼ばれ得るビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る、信号処理技法である。ビームフォーミングは、アンテナアレイに関して特定の方向に伝播する信号が強め合う干渉を受ける一方で、他の信号が弱め合う干渉を受けるように、アンテナアレイのアンテナ要素を介して通信される信号を合成することによって達成され得る。アンテナ要素を介して通信される信号の調整は、デバイスと関連付けられるアンテナ要素の各々を介して搬送される信号に何らかの振幅オフセットおよび位相オフセットを送信デバイスまたは受信デバイスが適用することを含み得る。アンテナ要素の各々と関連付けられる調整は、(たとえば、送信デバイスもしくは受信デバイスのアンテナアレイに対する、または何らかの他の方向に対する)特定の方向と関連付けられるビームフォーミング重みセットによって定義され得る。
【００５５】
一例では、基地局105は、UE115との指向性通信のためのビームフォーミング動作を行うために、複数のアンテナまたはアンテナアレイを使用し得る。たとえば、一部の信号(たとえば、同期信号、基準信号、ビーム選択信号、または他の制御信号)は基地局105によって異なる方向に複数回送信されることがあり、これは、異なる送信方向と関連付けられる異なるビームフォーミング重みに従って信号が送信されることを含むことがある。異なるビーム方向への送信は、基地局105による後続の送信および/または受信のためのビーム方向を(たとえば、基地局105またはUE115などの受信デバイスによって)特定するために使用され得る。特定の受信デバイスと関連付けられるデータ信号などの一部の信号は、単一のビーム方向(たとえば、UE115などの受信デバイスと関連付けられる方向)に基地局105によって送信され得る。いくつかの例では、単一のビーム方向に沿った送信と関連付けられるビーム方向は、異なるビーム方向に送信された信号に少なくとも一部基づいて決定され得る。たとえば、UE115は、基地局105によって異なる方向に送信された信号のうちの1つまたは複数を受信することができ、UE115は、それが最高の信号品質で受信した信号の指示、または別様に許容可能な信号品質を基地局105に報告することができる。これらの技法は基地局105によって1つまたは複数の方向に送信される信号に関して説明されるが、UE115は、異なる方向に複数回信号を送信するために(たとえば、UE115による後続の送信または受信のためのビーム方向を特定するために)、または単一の方向に信号を送信するために(たとえば、データを受信デバイスに送信するために)同様の技法を利用することができる。
【００５６】
受信デバイス(たとえば、mmW受信デバイスの例であり得るUE115)は、同期信号、基準信号、ビーム選択信号、または他の制御信号などの、様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれもが、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従った聴取に少なくとも一部基づいて決定されたビーム方向(たとえば、複数のビーム方向に従った聴取に少なくとも一部基づいて、最高の信号強度、最高の信号対雑音比、または別様に許容可能な信号品質を有すると決定されたビーム方向)に揃えられ得る。
【００５７】
いくつかの場合、基地局105またはUE115のアンテナは、MIMO動作をサポートし得る、または送信ビームフォーミングもしくは受信ビームフォーミングをサポートし得る、1つまたは複数のアンテナアレイ内に配置され得る。たとえば、1つもしくは複数の基地局アンテナまたはアンテナアレイは、アンテナタワーなどのアンテナアセンブリにおいて一緒に置かれ得る。いくつかの場合、基地局105と関連付けられるアンテナまたはアンテナアレイは、多様な地理的位置に配置され得る。基地局105は、基地局105がUE115との通信のビームフォーミングをサポートするために使用し得るアンテナポートのいくつかの行および列を伴うアンテナアレイを有し得る。同様に、UE115は、様々なMIMO動作またはビームフォーミング動作をサポートすることができる1つまたは複数のアンテナアレイを有し得る。
【００５８】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するためにパケットセグメント化および再アセンブリを実行し得る。媒体アクセス制御(MAC)レイヤは、優先度の処理およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、RRCプロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００５９】
いくつかの場合、UE115および基地局105は、データが受信に成功する可能性を高めるためにデータの再送信をサポートすることができる。HARQフィードバックは、データがワイヤレス通信リンク125を介して正確に受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)においてMACレイヤにおけるスループットを改善し得る。いくつかの場合、ワイヤレスデバイスが同一スロットHARQフィードバックをサポートすることがあり、同一スロットHARQフィードバックにおいて、デバイスは、特定のスロット中の前のシンボルにおいて受信されたデータに対するHARQフィードバックを、そのスロットにおいて提供し得る。他の場合には、デバイスは、後続のスロット中で、または何らかの他の時間間隔に従ってHARQフィードバックを提供し得る。
【００６０】
LTEまたはNRにおける時間間隔は、たとえば、Ts=1/30,720,000秒というサンプリング周期を基準とし得る、基本時間単位の倍数で表され得る。通信リソースの時間間隔は、10ミリ秒(ms)の時間長を各々有する無線フレームに従って編成されることがあり、ここでフレーム期間はTf=307,200Tsと表されることがある。無線フレームは、0から1023に及ぶシステムフレーム番号(SFN)によって識別され得る。各フレームは0から9の番号が付けられた10個のサブフレームを含むことがあり、各サブフレームは1msの時間長を有することがある。サブフレームはさらに、各々0.5msの時間長を有する2つのスロットへと分割されることがあり、各スロットが、6個または7個の変調シンボル期間(たとえば、各シンボル期間の先頭に追加される巡回プレフィックスの長さに依存する)を含むことがある。サイクリックプレフィックスを除いて、各シンボル期間は、2048個のサンプル期間を含み得る。いくつかの場合、サブフレームは、ワイヤレス通信システム100の最も小さいスケジューリング単位であることがあり、送信時間間隔(TTI)と呼ばれることがある。他の場合には、ワイヤレス通信システム100の最小スケジューリング単位はサブフレームよりも短いことがあるか、または(たとえば、短縮TTI(sTTI)のバーストにおいて、またはsTTIを使用する選択されたコンポーネントキャリアにおいて)動的に選択されることがある。
【００６１】
いくつかのワイヤレス通信システムでは、スロットはさらに、1つまたは複数のシンボルを含む複数のミニスロットへと分割され得る。いくつかの事例では、ミニスロットのシンボルまたはミニスロットがスケジューリングの最小単位であり得る。各シンボルは、たとえば、サブキャリア間隔または動作周波数帯域に依存して、時間長が変動し得る。さらに、一部のワイヤレス通信システムは、UE115と基地局105との間の通信のために複数のスロットまたはミニスロットが一緒に集約されて使用される、スロットアグリゲーションを実装し得る。
【００６２】
「キャリア」という用語は、通信リンク125上で通信をサポートするための定義された物理レイヤ構造を有する無線周波数スペクトルリソースのセットを指す。たとえば、通信リンク125のキャリアは、所与の無線アクセス技術に対する物理レイヤチャネルに従って動作する無線周波数スペクトル帯域の一部分を含み得る。各物理レイヤチャネルは、ユーザデータ、制御情報、または他のシグナリングを搬送することができる。キャリアは、事前に定義された周波数チャネル(たとえば、Evolved Universal Terrestrial Radio Access(E-UTRA)絶対無線周波数チャネル番号(EARFCN))と関連付けられることがあり、UE115による発見のためにチャネルラスタに従って配置されることがある。キャリアは、ダウンリンクまたはアップリンク(たとえば、FDDモードの)であることがあり、またはダウンリンク通信およびアップリンク通信を(たとえば、TDDモードで)搬送するように構成されることがある。いくつかの例では、キャリアを介して送信される信号波形は、(たとえば、OFDMまたは離散フーリエ変換拡散OFDM(DFT-s-OFDM)などのマルチキャリア変調(MCM)技法を使用して)複数のサブキャリアから構成され得る。
【００６３】
キャリアの組織構造は、異なる無線アクセス技術(たとえば、LTE、LTE-A、LTE-A Pro、NRなど)に対して異なり得る。たとえば、キャリアを介した通信は、TTIまたはスロットに従って編成されることがあり、それらの各々が、ユーザデータの復号をサポートするために、ユーザデータならびに制御情報またはシグナリングを含むことがある。キャリアはまた、専用の取得シグナリング(たとえば、同期信号またはシステム情報など)と、キャリアのための動作を協調させる制御シグナリングとを含み得る。いくつかの例(たとえば、キャリアアグリゲーション構成における)では、キャリアはまた、他のキャリアのための動作を協調させる取得シグナリングまたは制御シグナリングを有し得る。
【００６４】
物理チャネルは、様々な技法に従ってキャリア上で多重化され得る。物理制御チャネルおよび物理データチャネルは、ダウンリンクチャネル上で、たとえば、時分割多重化(TDM)技法、周波数分割多重化(FDM)技法、またはハイブリッドTDM-FDM技法を使用して多重化され得る。いくつかの例では、物理制御チャネル内で送信される制御情報は、カスケード方式における異なる制御領域間(たとえば、共通の制御領域または共通の探索空間と1つまたは複数のUE固有の制御領域またはUE固有の探索空間との間)で分散され得る。
【００６５】
キャリアは、無線周波数スペクトルの特定の帯域幅と関連付けられることがあり、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアのためのいくつかの所定の帯域幅(たとえば、1.4、3、5、10、15、20、40、または80MHz)のうちの1つであり得る。いくつかの例では、各々のサービスされるUE115は、キャリア帯域幅のいくつかの部分またはすべてにわたって動作するために構成され得る。他の例では、一部のUE115は、キャリア内のあらかじめ定義された部分または範囲(たとえば、サブキャリアまたはRBのセット)と関連付けられる狭帯域プロトコルタイプを使用した動作のために構成され得る(たとえば、狭帯域プロトコルタイプの「帯域内」展開)。
【００６６】
MCM技法を利用するシステムでは、リソース要素は、1つのシンボル期間(たとえば、1つの変調シンボルの時間長)および1つのサブキャリアからなることがあり、シンボル期間およびサブキャリア間隔は反比例する。各リソース要素によって搬送されるビットの数は、変調方式(たとえば、変調方式の次数)に依存し得る。したがって、UE115が受信するリソース要素が多いほど、かつ変調方式の次数が高いほど、UE115に対するデータレートは高くなり得る。MIMOシステムでは、ワイヤレス通信リソースは、無線周波数スペクトルリソース、時間リソース、および空間リソース(たとえば、空間レイヤ)の組合せを指すことがあり、複数の空間レイヤの使用はさらに、UE115との通信のデータレートを上げることができる。
【００６７】
ワイヤレス通信システム100のデバイス(たとえば、基地局105またはUE115)は、特定のキャリア帯域幅を介した通信をサポートするハードウェア構成を有することがあり、または、キャリア帯域幅のセットのうちの1つを介した通信をサポートするように構成可能であることがある。いくつかの例では、ワイヤレス通信システム100は、複数の異なるキャリア帯域幅と関連付けられるキャリアを介した同時通信をサポートすることができる基地局105および/またはUEを含み得る。
【００６８】
ワイヤレス通信システム100は、複数のセルまたはキャリア上でのUE115との通信、すなわち、キャリアアグリゲーション(CA)またはマルチキャリア動作と呼ばれることがある特徴をサポートし得る。UE115は、キャリアアグリゲーション構成に従って、複数のダウンリンクCCおよび1つまたは複数のアップリンクCCで構成され得る。キャリアアグリゲーションは、FDDコンポーネントキャリアとTDDコンポーネントキャリアの両方とともに使用され得る。
【００６９】
いくつかの場合、ワイヤレス通信システム100は拡張コンポーネントキャリア(eCC)を利用し得る。eCCは、より広いキャリア帯域幅または周波数チャネル帯域幅、より短いシンボル期間長、より短いTTI期間長、または修正された制御チャネル構成を含む、1つまたは複数の特徴によって特徴付けられ得る。いくつかの場合、eCCは、(たとえば、複数のサービングセルが準最適または理想的でないバックホールリンクを有するとき)キャリアアグリゲーション構成またはデュアル接続性構成と関連付けられ得る。eCCはまた、(2つ以上の事業者が、スペクトルを使用することを許可された場合)免許不要スペクトルまたは共有スペクトルにおいて使用するために構成され得る。広いキャリア帯域幅によって特徴付けられるeCCは、全キャリア帯域幅を監視することが可能でないか、またはさもなければ(たとえば、電力を節約するために)限られたキャリア帯域幅を使用するように構成されるUE115によって利用され得る、1つまたは複数のセグメントを含み得る。
【００７０】
いくつかの場合、eCCは、他のCCとは異なるシンボル時間長を利用することがあり、このことは、他のCCのシンボル時間長と比較して短縮されたシンボル時間長の使用を含むことがある。より短いシンボル時間長は、隣接するサブキャリア間の間隔の増大と関連付けられ得る。eCCを利用するUE115または基地局105などのデバイスは、短縮されたシンボル時間長(たとえば、16.67マイクロ秒)において、広帯域信号(たとえば、20、40、60、80MHzなどの周波数チャネルまたはキャリア帯域幅に従った)を送信し得る。eCCにおけるTTIは、1個または複数のシンボルからなり得る。いくつかの場合、TTI時間長(すなわち、TTI中のシンボル期間の数)は可変であり得る。
【００７１】
NRシステムなどのワイヤレス通信システムは、とりわけ、免許スペクトル帯域、共有スペクトル帯域、および免許不要スペクトル帯域の任意の組合せを利用することができる。eCCシンボル時間長およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有を通じて、NR共有スペクトルは、スペクトル利用率およびスペクトル効率を高め得る。
【００７２】
UE115は、第1の監視期間と関連付けられるスロットのセットのために、第1の監視期間の間に第1のSFIを受信し得る。UE115は、第1の監視期間より時間長が短く第1の監視期間内にある第2の監視期間の間に第2のSFIを受信することができ、第2のSFIは第2の監視期間と関連付けられるスロットのサブセットのためのスロットフォーマットの指示を備える。UE115は、第1のSFIおよび第2のSFIに少なくとも一部基づいて、スロットのサブセットを介してワイヤレス通信を実行し得る。
【００７３】
基地局105は、第1の監視期間と関連付けられるスロットのセットのために、第1の監視期間の間に第1のSFIを送信し得る。基地局105は、第1の監視期間より時間長が短く第1の監視期間内にある第2の監視期間の間に第2のSFIを送信することができ、第2のSFIは第2の監視期間と関連付けられるスロットのサブセットのためのスロットフォーマットの指示を備える。基地局105は、第1のSFIおよび第2のSFIに少なくとも一部基づいて、スロットのサブセットを介してワイヤレス通信を実行し得る。
【００７４】
図2は、本開示の態様による、マルチレベルSFIをサポートするSFI構成200の例を示す。いくつかの例では、SFI構成200は、ワイヤレス通信システム100の態様を実装し得る。SFI構成200の態様は、本明細書で説明された対応するデバイスの例であり得る、UEおよび/または基地局によって実装され得る。一般に、SFI構成200は、2つのSFIレベルを使用してマルチレベルSFI指示の一例を示す。
【００７５】
SFI構成200は複数のスロット205を含み、16個のスロット205は単なる例として示されている。SFI構成200は、より多数のスロット205またはより少数のスロット205をサポートし得る。その上、スロット205は監視期間に関して説明される期間の一例として示されることを理解されたい。しかしながら、説明された監視期間は、スロット205に限定されないが、代わりに、1つまたは複数のサブフレーム、1つまたは複数のフレームなどの、他の期間をカバーすることがある。その上、説明された監視期間は、送信機会(TxOP)期間、発見基準信号(DRS)測定タイミング構成(DMTC)ウィンドウなどの、他の定められた期間と関連付けられ得る。
【００７６】
SFI構成200は、第1のSFI210および第2のSFI215の1つまたは複数の事例を含み得る。第1のSFI210は、少なくとも第2のSFI215より高いレベルのSFI、たとえばレベル1SFIであると見なされ得る。第2のSFI215は、少なくとも第1のSFI210より低いレベルのSFI、たとえばレベル2SFIであると見なされ得る。一般に、第1のSFI210および第2のSFI215は、グループ共通物理ダウンリンク制御チャネル(GC-PDCCH)信号などの制御信号において、基地局からUEに送信され得る。いくつかの態様では、第1のSFI210および第2のSFI215は、制御信号のダウンリンク制御インジケータ(DCI)において送信され、または別様にビットとして搬送される。図5に関して説明されるように、第1のSFI210および第2のSFI215は、1つまたは複数のDCIにおいて別々に搬送されることがあり、または、たとえばジョイント符号化、連結、もしくは何らかの他の合成技法を使用して、DCIにおいて合成されることがある。一般に、第1のSFI210および第2のSFI215は、スロット205の最初の期間の間に搬送され得る。
【００７７】
いくつかの態様では、第1のSFI210は、第1の監視期間220を有し、または別様にそれと関連付けられ、第2のSFI215は、第2の監視期間225を有し、またはそれと別様に関連付けられる。第1の監視期間220は、第2の監視期間225より長い時間長と関連付けられ得る。したがって、第2の監視期間225は、第1の監視期間220より短くその中にある時間長を有する。例示的なSFI構成200において、第1の監視期間220は8つのスロット205にわたる時間長を有し、第2の監視期間225は1つのスロット205にわたる時間長を有する。しかしながら、第1の監視期間220はより多数または少数のスロット205(またはサブフレーム、フレームなど)にわたることがあり、第2の監視期間225はより多数または少数のスロット205(またはサブフレーム、フレームなど)にわたることがある。したがって、第1の監視期間220内にある、第2の監視期間225の複数の事例があり得る。1つの非限定的な例では、第1の監視期間220はあるTxOPと関連付けられることがあり、第2の監視期間225はそのTxOP内にあるスロット205と関連付けられることがある。
【００７８】
いくつかの態様では、第1の監視期間220および/または第2の監視期間225の長さまたは時間長は、基地局によって構成され、RRC信号などの構成信号においてUEにシグナリングされ得る。いくつかの態様では、第1の監視期間220および/または第2の監視期間225の長さまたは時間長は、基地局およびUEのためにあらかじめ構成され得る。第1の監視期間220および/または第2の監視期間225の長さまたは時間長は、固定されることがあり、かつ/または動的に変更されることがある。その上、第1の監視期間220内にある第2の監視期間225の事例の数は、変更されることがあり、たとえば、第1の監視期間220内にある2つのスロット205、4つのスロット205などにわたるように変更されることがある。
【００７９】
いくつかの態様では、第1のSFI210は、第1の監視期間220内にあるスロット205のためのいくつかの制御情報の指示を伝え、または別様に搬送し得る。いくつかの態様では、第1のSFI210において示される制御情報は、UEがランダムアクセスチャネル(RACH)手順をどこで実行し得るかについての情報、基地局がどこである情報を送信するかについての情報、フレームフォーマット情報などの、より一般的な構成を含み得る。すなわち、いくつかの態様では、第1のSFI210は、より一般的な構成情報を示すためにSFI機構を再使用することによって、第1の監視期間220の構造を定義し得る。いくつかの態様では、第1のSFI210において示される制御情報は、UEがワイヤレス通信のために使用すべきスロットパターンを含み得る。たとえば、第1のSFI210は、最初の3つのスロット205がダウンリンク(D)通信のためのものであり、次の3つのスロット205がアップリンク(U)通信のためのものであり、最後の2つのスロット205が未知(X)であること、または何らかの他のパターンを示し得る。これは、スロット205内の特定のシンボル期間の通信方向を具体的に指定することなく、スロット205のためのフォーマットの高水準の指示を提供し得る。いくつかの態様では、第1のSFI210において示される制御情報は、第1の監視期間220内にあるスロット205のための実際のスロットフォーマットであることがあり、たとえば、第1の監視期間220内のスロット205の各シンボル期間の通信方向を特定することがある。
【００８０】
いくつかの態様では、第2のSFI215は、第2の監視期間225内にあるスロット205のためのいくつかの制御情報の指示を伝え、または別様に搬送し得る。いくつかの態様では、第2のSFI215において示される制御情報は、第2の監視期間225内にあるスロット205のサブセットのためのスロットフォーマットを含み得る。SFI構成200において示される例では、第2の監視期間225内にあるスロットのサブセットは、1つのスロット205を含む。しかしながら、他の例では、第2の監視期間225は1つより多くのスロット205にわたることがあるので、第2のSFI215はそれらのスロット205のためのスロットフォーマットを示すことがある。たとえば、第2のSFI215は、第2の監視期間225によってカバーされるスロット205の各シンボル期間の通信方向を示すことがあり、たとえば、どのシンボル期間がダウンリンク(D)通信のためのものか、どのシンボル期間がアップリンク(U)通信のためのものか、およびどのシンボル期間が未知の(X)通信のためのものかを示すことがある。
【００８１】
したがって、第1のSFI210および第2のSFI215を、基地局は送信することができ(およびUEは受信することができ)、示された情報(またはそれから導出可能な情報)を使用して、第2の監視期間225の間にワイヤレス通信を実行することができる。これは、UEが第2の監視期間225のスロット205の中のシンボルの通信方向を特定することを含み得る。いくつかの態様では、UEは、いくつかのシンボルに対して第1のSFIが未知の(X)通信方向を示すと決定し、第2のSFI215を使用してそれらのシンボルの通信方向(たとえば、ダウンリンク(D)またはアップリンク(U))を特定することができる。すなわち、未知の(X)通信方向は、柔軟な通信方向であり得る。第2のSFI215は、第1のSFI210において示される情報を上書きしないことがあるが、代わりに、より高水準の未知(X)の決定をさらに定義するために使用されることがある。しかしながら、他の例では、UEは、第2のSFI215において示される情報が、たとえば基地局の通信要件の変化により、第1のSFI210において示される情報を上書きすると決定し得る。たとえば、基地局は、第1のSFI210を送信した後で、より優先度の高いデータ、よりレイテンシの少ないデータなどを受信することがあるので、UEが第2のSFI215で第1のSFI210を上書きすべきであることを示す情報(たとえば、ビット)を第2のSFI215に含めることがある。いくつかの態様では、UEは、第2の監視期間225の間に実行されている通信のタイプに基づいて、チャネル条件に基づいて、または、第1のSFI210が受信されることと第2のSFI215が受信されることとの間の時間以降に、存在もしくは変化し得る、何らかの他の尺度に基づいて、第1のSFI210と第2のSFI215との間の競合を解決し得る。
【００８２】
いくつかの態様では、UEは、2つ以上のレベルのSFIを監視するように構成される。より高いレベルのSFI(第1のSFI210)は、より稀に送信されることがあり、より長い期間をカバーする。いくつかの態様では、より高いレベルのSFIは、実際のスロットフォーマットを示さないことがあるが、より一般的な構成情報を示すために定められたSFI機構を再使用することがある。より低いレベルのSFI(第2のSFI215)は、より頻繁に送信されることがあり、より高いレベルのSFIによってカバーされる期間に埋め込まれる。いくつかの態様では、第1のSFI210および/または第2のSFI215の送信は、常に定期的であるとは限らない。たとえば、TxOPレベルのSFI送信のタイミングは、たとえばLBT手順の結果に基づいて、不定期的であることがある。
【００８３】
いくつかの態様では、第1のSFI210は、準静的なDL/UL割当て期間と揃えられ、またはそれを置換し、リソース方向のより動的な制御を行うことがある。第2のSFI215は、マルチスロットレベルまたはスロットごとのレベルであり得る。図3に示される一例では、第2のSFI215はマルチスロットレベルで送信されることがあり、別のレベル3はスロットレベルで送信されることがある。基地局はリソースの完全な制御権を有するので、監視期間構成は、免許された場合には定期的であり得る。mmWのシナリオでは、第1のSFI210の送信は、ビーム掃引リソースを共有するために、残存最小システム情報(RMSI)物理ダウンリンク制御チャネル(PDCCH)送信を共有し得る。
【００８４】
図3は、本開示の態様による、マルチレベルSFIをサポートするSFI構成300の例を示す。いくつかの例では、SFI構成300は、ワイヤレス通信システム100および/またはSFI構成200の態様を実装し得る。SFI構成300の態様は、本明細書で説明された対応するデバイスの例であり得る、UEおよび/または基地局によって実装され得る。一般に、SFI構成300は、3つのSFIレベルを使用してマルチレベルSFI指示の一例を示す。
【００８５】
SFI構成300は複数のスロット305を含み、16個のスロット305は単なる例として示されている。SFI構成300は、より多数のスロット305またはより少数のスロット305をサポートし得る。上で論じられたように、スロット305は監視期間に関して説明される期間の一例として示されているが、説明される監視期間は、スロット305に限定されず、しかし、1つまたは複数のサブフレーム、1つまたは複数のフレームなどの他の期間を代わりにカバーし得ることを理解されたい。
【００８６】
SFI構成300は、第1のSFI310、第2のSFI315、および第3のSFI320の1つまたは複数の事例を含み得る。第1のSFI310は、少なくとも第2のSFI315および第3のSFI320より高いレベルのSFI、たとえばレベル1SFIであると見なされ得る。第2のSFI315は、少なくとも第1のSFI310より低いレベルのSFI、たとえばレベル2SFIであると見なされ得る。第3のSFI320は、第1のSFI310および第2のSFI315より低いレベルのSFI、たとえばレベル3SFIであると見なされ得る。一般に、第1のSFI310、第2のSFI315、および第3のSFI320は、GC-PDCCH信号などの制御信号において、基地局からUEに送信され得る。いくつかの態様では、第1のSFI310、第2のSFI315、および第3のSFI320は、制御信号のDCIにおいて送信され、または別様にビットとして搬送される。第1のSFI310、第2のSFI315、および第3のSFI320は、1つまたは複数のDCIにおいて別々に搬送されることがあり、またはDCIにおいて合成されることがある。一般に、第1のSFI310、第2のSFI315、および第3のSFI320は、スロット305の最初の期間の間に搬送され得る。
【００８７】
いくつかの態様では、第1のSFI310は、第1の監視期間325を有し、またはそれと別様に関連付けられる。第2のSFI315は、第2の監視期間330を有し、またはそれと別様に関連付けられる。第3のSFI320は、第3の監視期間335を有し、またはそれと関連付けられる。第1の監視期間325は、第2の監視期間330および第3の監視期間335より長い時間長と関連付けられ得る。したがって、第2の監視期間330および第3の監視期間335は、第1の監視期間325より短くその中にある時間長を有する。第2の監視期間330は、第3の監視期間335より長い時間長と関連付けられ得る。したがって、第3の監視期間335は、第2の監視期間330より短くその中にある時間長を有する。例示的なSFI構成300において、第1の監視期間325は16個のスロット305にわたる時間長を有し、第2の監視期間330は4つのスロット305にわたる時間長を有し、第3の監視期間は1つのスロット305にわたる時間長を有する。しかしながら、第1の監視期間325、第2の監視期間330、および/または第3の監視期間335は、より多数または少数のスロット305(またはサブフレーム、フレームなど)にわたり得る。したがって、第1の監視期間325内にある第2の監視期間330の複数の事例、および第2の監視期間330内にある第3の監視期間335の複数の事例があり得る。1つの非限定的な例では、第1の監視期間325はDMTCウィンドウと関連付けられることがあり、第2の監視期間330はDMTCウィンドウ内にあるTxOPと関連付けられることがあり、第3の監視期間335はそのTxOP内にあるスロット305と関連付けられることがある。
【００８８】
いくつかの態様では、第1の監視期間325、第2の監視期間330、および/または第3の監視期間335の長さまたは時間長は、基地局によって構成され、RRC信号などの構成信号においてUEにシグナリングされ得る。いくつかの態様では、長さまたは時間長は、基地局およびUEのためにあらかじめ構成され得る。長さまたは時間長は、固定されることがあり、かつ/または動的に変更されることがある。その上、第1の監視期間325内にある第2の監視期間330、および/または、第2の監視期間330内にある第3の監視期間335の事例の数が変更され得る。
【００８９】
いくつかの態様では、第1のSFI310は、第1の監視期間325内にあるスロット305のためのいくつかの制御情報の指示を伝え、または別様に搬送し得る。いくつかの態様では、第1のSFI310において示される制御情報は、UEがRACH手順をどこで実行し得るかについての情報、基地局がどこである情報を送信するかについての情報、フレームフォーマット情報などの、より一般的な構成を含み得る。すなわち、いくつかの態様では、第1のSFI310は、より一般的な構成情報を示すためにSFI機構を再使用することによって、第1の監視期間325の構造を定義し得る。いくつかの態様では、第1のSFI310において示される制御情報は、UEがワイヤレス通信のために使用すべきスロットパターンを含み得る。たとえば、第1のSFI310は、最初の8つのスロット305がダウンリンク(D)通信のためのものであり、次の8つのスロット305がアップリンク(U)通信のためのものであること、または何らかの他のパターンを示し得る。これは、スロット305内の特定のシンボル期間の通信方向を具体的に指定することなく、スロット305のためのフォーマットの高水準の指示を提供し得る。いくつかの態様では、第1のSFI310において示される制御情報は、第1の監視期間325内にあるスロット305のための実際のスロットフォーマットであることがあり、たとえば、第1の監視期間325内のスロット305の各シンボル期間の通信方向を特定することがある。
【００９０】
いくつかの態様では、第2のSFI315は、第2の監視期間330内にあるスロット305のためのいくつかの制御情報の指示を伝え、または別様に搬送し得る。いくつかの態様では、第2のSFI315において示される制御情報は、第2の監視期間330内にあるスロット305のサブセットのためのスロットフォーマットを含み得る。SFI構成300において示される例では、第2の監視期間330内にあるスロットのサブセットは、4つのスロット305を含む。しかしながら、他の例では、第2の監視期間330はより多数または少数のスロット305にわたることがあるので、第2のSFI315はそれらのスロット305のためのスロットフォーマットを示すことがある。たとえば、第2のSFI315は、第2の監視期間330によってカバーされるスロット305の各シンボル期間の通信方向を示すことがあり、たとえば、どのシンボルがダウンリンク(D)通信のためのものか、どのシンボル期間がアップリンク(U)通信のためのものか、およびどのシンボル期間が未知の(X)通信のためのものかを示すことがある。
【００９１】
いくつかの態様では、第3のSFI320は、第3の監視期間335内にあるスロット305のためのいくつかの制御情報の指示を伝え、または別様に搬送し得る。いくつかの態様では、第3のSFI320において示される制御情報は、第3の監視期間335内にあるスロット305のサブセットのためのスロットフォーマットを含み得る。SFI構成300において示される例では、第3の監視期間335内にあるスロットのサブセットは、1つのスロット305を含む。しかしながら、他の例では、第3の監視期間335は1つより多くのスロット305にわたることがあるので、第3のSFI320はそれらのスロット305のためのスロットフォーマットを示すことがある。たとえば、第3のSFI320は、第3の監視期間335によってカバーされるスロット305の各シンボル期間の通信方向を示すことがあり、たとえば、どのシンボルがダウンリンク(D)通信のためのものか、どのシンボル期間がアップリンク(U)通信のためのものか、およびどのシンボル期間が未知の(X)通信のためのものかを示すことがある。
【００９２】
したがって、第1のSFI310、第2のSFI315、および第3のSFI320を、基地局は送信することができ(およびUEは受信することができ)、示された情報(またはそれから導出可能な情報)を使用して、第3の監視期間335の間にワイヤレス通信を実行することができる。これは、UEが第3の監視期間335のスロット305の中のシンボルの通信方向を特定することを含み得る。いくつかの態様では、UEは、いくつかのシンボルに対して第1のSFI310および/または第2のSFI315が未知の(X)通信方向(すなわち、柔軟な通信方向)を示すと決定し、第3のSFI320を使用してそれらのシンボルの通信方向(たとえば、ダウンリンク(D)またはアップリンク(U))を特定し得る。
【００９３】
いくつかの態様では、第1のSFI310(たとえば、レベル1SFI)は、DMTCウィンドウレベルにあり得る。この期間は当然、NR-SSにおけるDRS周期であり得る(たとえば、送信は、DRS送信バーストを共有するので、別個のLBT手順を避けることができる)。トラフィックはこの時点で知られていないことがあるので、第1のSFI310は、たとえば各スロット305のためのDL/ULに関してではなく、DMTCウィンドウの構造を定義し得る。しかしながら、第1のSFI310はどこにRACHがあるかについての情報を搬送することがあり、ここで、基地局は、たとえばフレームフォーマットを送信する可能性が高いが、スロットについての詳細ではない情報であることがある。第2のSFI315(たとえば、レベル2SFI)は、TxOPレベルにあることがあり、TxOPの始めに送信されることがあり、TxOPの構造、たとえばどれだけのスロットがDL中心であるか、どれだけのスロットがUL中心であるかなどを定義することがある。第3のSFI320(たとえば、レベル3SFI)は、TxOP内のスロットレベルにあることがある。
【００９４】
説明される技法は、本明細書で説明されるSFIレベルに限定されないことを理解されたい。代わりに、SFIレベルのすべてを使用しないことがある、スロットレベルの他の組合せが利用され得る。一例では、第1のSFI310および第2のSFI315が使用され得る。別の例では、第2のSFI315および第3のSFI320が使用され得る。別の例では、第1のSFI310および第3のSFI320が使用され得る。別の例は、第1のSFI310、第2のSFI315、および第3のSFI320の使用を組み合わせ得る。
【００９５】
図4は、本開示の態様による、マルチレベルSFIをサポートするSFIテーブル400の例を示す。いくつかの例では、SFIテーブル400は、ワイヤレス通信システム100および/またはスロット構成200/300の態様を実装し得る。SFIテーブル400の態様は、本明細書で説明された対応するデバイスの例であり得る、UEおよび/または基地局によって実装され得る。
【００９６】
一般に、SFIテーブル400は、基地局およびUEのためにシグナリングおよび/またはあらかじめ構成され得る。SFIテーブル400は、複数の行405および列410を含み得る。第1の行405は、対応する列410の中のエントリを特定する先頭の行である。第1の列410は特定のSFIを特定する。たとえば、第1の行405は第1の列410をSFI指示に対応するものとして特定し、残りの列410はスロットのシンボルに対応し、たとえば、第2の列410はスロットのシンボル1に対応し、第3の列410はスロットのシンボル2に対応し、以下同様である。したがって、第2の行405から最後の行405は一般に、スロットフォーマットを示す。SFIテーブル400の中のシンボルの数は、14個のシンボルに限定されず、代わりに、より多数または少数のシンボルを含み得ることを理解されたい。SFIテーブル400はより多数または少数の行405を含み得ることも理解されたい。
【００９７】
第2の行およびそれ以降の行405は一般に、特定のSFI指示に対応する。本明細書で論じられるように、SFIは、DCIの1つまたは複数のビットで、たとえば、2ビット、3ビット、4ビット、またはDCIにおいて搬送される何らかの他の数のビットで示され得る。すなわち、0011という4ビットのパターンはSFI3を示すことがあり、これは、SFIテーブル400における第5の行405に対応する。SFIテーブル400の第5の行405は、一般にダウンリンク(D)中心スロットフォーマットを有することがあり、たとえば、シンボル1〜11はダウンリンク(D)シンボルであり、シンボル12は未知の(X)シンボルであり、シンボル13および14はダウンリンク(D)シンボルである。
【００９８】
別の例として、01001という5ビットのパターンのSFI指示はSFI9を示すことがあり、これは、SFIテーブル400における第11の行に対応する。SFIテーブル400における第11の行は、一般に未知の(X)中心スロットフォーマットであり、たとえば、シンボル1〜10は未知の(X)シンボルであり、シンボル11および12はアップリンク(U)シンボルであり、シンボル13および14はダウンリンク(D)シンボルである。
【００９９】
いくつかの態様では、異なるUEは、利用可能なSFIの異なるセットを用いて構成され得る。たとえば、第1のUEはSFI1〜8を用いて構成されることがあり、第2のUEはSFI9〜16を用いて構成されることがあり、以下同様である。したがって、第2のUEへの0110という4ビットのSFI指示は、SFIテーブル400のSFI14に対応するスロットフォーマットをUEが使用すべきであることを示すことがあり、一方で、第1のUEへの0110という同じ4ビットのSFI指示は、SFIテーブルのSFI6に対応するスロットフォーマットをUEが使用すべきであることを示すことがある。
【０１００】
上で論じられたように、第1のSFI指示および第2のSFI指示は、基地局は一般に送信することができる(およびUEは受信することができる)。いくつかの態様では、第1のSFIは、対応する第1の監視期間のための一般的な構成情報、たとえばフレームフォーマット、グラント情報などの、制御情報を示すことがあり、第2のSFIは、SFIテーブル400の行405に対応するエントリなどの、制御情報を示すことがある。
【０１０１】
図5は、本開示の態様による、マルチレベルSFIをサポートするSFI構成500の例を示す。いくつかの例では、SFI構成500は、ワイヤレス通信システム100、スロット構成200/300、および/またはSFIテーブル400の態様を実装し得る。SFI構成500の態様は、本明細書で説明された対応するデバイスの例であり得る、UEおよび/または基地局によって実装され得る。一般に、SFI構成500は、SFIが合成されたDCIにおいて示されるマルチレベルSFI指示の一例を示す。
【０１０２】
SFI構成500は複数のスロット505を含み、16個のスロット505は単なる例として示されている。SFI構成500は、より多数のスロット505またはより少数のスロット505をサポートし得る。上で論じられたように、スロット505は監視期間に関して説明される期間の一例として示されているが、説明される監視期間は、スロット505に限定されず、しかし、1つまたは複数のサブフレーム、1つまたは複数のフレームなどの他の期間を代わりにカバーし得ることを理解されたい。
【０１０３】
SFI構成500は、合成されたSFI510および第2のSFI515の1つまたは複数の事例を含み得る。合成されたSFI510は一般に、少なくとも第2のSFI515より高いレベルのSFI、たとえばレベル1SFIであると見なされ得る、第1のSFIを含み得る。第2のSFI515は、少なくとも第1のSFIより低いレベルのSFI、たとえばレベル2SFIであると見なされ得る。一般に、第1の監視期間520内にある、合成されたSFI510(第1のSFIの1つの事例および第2のSFI515の1つの事例を含む)および第2のSFI515の後続の事例は、GC-PDCCH信号などの制御信号において、基地局からUEに送信され得る。いくつかの態様では、合成されたSFI510(第1のSFIを含む)および第2のSFI515は、制御信号のDCIにおいて送信され、または別様にビットとして搬送される。いくつかの態様では、第1のSFIは、第1の監視期間520を有し、または別様にそれと関連付けられ、第2のSFI515は、第2の監視期間525を有し、またはそれと別様に関連付けられる。
【０１０４】
いくつかの態様では、合成されたSFI510は、第1のSFI(たとえば、レベル1SFI)および第2のSFI515の1つの事例を共同で示し得る。たとえば、第1のSFIおよび第2のSFI515は、一緒にシグナリングされるように任意の方式で組み合わされ得る。たとえば、第1のSFIおよび第2のSFI515は、基地局によって共同で符号化されることがあり、基地局によって連結されることがあり、または、単一のDCIにおいて(たとえば、DCIの中のビットの1つのセット内で)示されるべき第1のSFIおよび第2のSFI515を合成するために、任意の他の合成技法が基地局によって使用されることがある。UEは、合成されたSFI510を含むスロット505において第1のSFIおよび第2のSFI515を分離するように構成され得る。たとえば、UEは、ジョイント復号技法(たとえば、ジョイント解釈)、逆連結技法(すなわち、連結解除)、または合成されたSFI510において第1のSFIおよび第2のSFI515を分離するための任意の技法を使用し得る。
【０１０５】
いくつかの態様では、UEが監視するように構成される、スロット/コアセットその2レベルのSFIに対して、1つのシナリオは別々のDCI(図2および図3に示されるものなど)を使用し得る。2つのSFIに対する別々のDCIの使用は、別々の復号、たとえば、各レベルにおける各SFIに対する同じDCIフォーマットの使用を示唆し得る。別のシナリオは、ジョイントDCI(図5に示されるものなど)を使用し得る。ジョイントDCIを使用することは、単一の復号を示唆することがあり、たとえば、連結によって、またはジョイント符号化によって、または何らかの他の合成手段によって、2つのSFIを1つのDCIへと合成し得る。これは、DCIの動的な(たとえば、しかし未知の)長さを示唆し得る。ジョイントDCIは、SFIのために同じ無線ネットワーク一時識別子(RNTI)を使用し得る。
【０１０６】
いくつかの態様では、SFI監視の各レベルに対する監視は、基地局によってRRCで構成され得る。異なるレベルのSFIのために、異なる周期性が構成され得る。異なるレベルのSFIは、異なるペイロードサイズ、たとえば異なるDCIペイロードサイズを有し得る。異なるレベルのSFIによって使用されるRNTIも異なり得る。
【０１０７】
図6は、本開示の態様による、マルチレベルSFIをサポートするプロセス600の例を示す。いくつかの例では、プロセス600は、ワイヤレス通信システム100、スロット構成200/300/500、および/またはSFIテーブル400の態様を実装し得る。プロセス600は、本明細書で説明される対応するデバイスの例であり得る、基地局605およびUE610を含み得る。
【０１０８】
615において、第1の監視期間と関連付けられるスロットのセットのために、第1の監視期間の間に第1のSFIを基地局605が送信することができる(およびUE610が受信することができる)。第1のSFIは、スロットのセットおよび/またはスロットのサブセットのための構成情報を特定する制御情報を示し得る。構成情報は、スロットのセットのための、RACHリソース、フレームフォーマット、グラント情報などを含み得る。この事例では、UE610は、スロットのサブセットのためのスロットフォーマットを特定するために、第2のSFIを使用し得る。
【０１０９】
620において、第2の監視期間の間に第2のSFIを基地局605が送信することができる(およびUE610が受信することができる)。第2の監視期間は、第1の監視期間より時間長が短いことがある。第2の監視期間は、第1の監視期間内にあることがある。第2のSFIは、第2の監視期間と関連付けられるスロットのサブセットのためのスロットフォーマットを示し得る。
【０１１０】
625において、基地局605およびUE610は、第1のSFIおよび第2のSFIに少なくとも一部基づいて、スロットのサブセットを介してワイヤレス通信を実行し得る。たとえば、UE610は、第1のSFIおよび第2のSFIに基づいてスロットのサブセットの中のシンボルの少なくともいくつかの通信方向を特定し、特定された通信方向に基づいてワイヤレス通信を実行し得る。いくつかの態様では、これは、スロットのサブセット内のシンボルに対して未知の(X)通信方向を第1のSFIが示すとUE610が決定することを含み得る。この事例では、UE610は、それらのシンボルの通信方向を特定するために、第2のSFIを使用し得る。
【０１１１】
図7は、本開示の態様による、マルチレベルSFIをサポートするワイヤレスデバイス705のブロック図700を示す。ワイヤレスデバイス705は、本明細書で説明されるようなUE115の態様の例であり得る。ワイヤレスデバイス705は、受信機710、UE通信マネージャ715、および送信機720を含み得る。ワイヤレスデバイス705はプロセッサも含み得る。これらの構成要素の各々は、(たとえば、1つまたは複数のバスを介して)互いに通信していることがある。
【０１１２】
受信機710は、パケット、ユーザデータ、または様々な情報チャネル(たとえば、制御チャネル、データチャネル、ならびにマルチレベルSFIに関する情報など)と関連付けられる制御情報などの情報を受信し得る。情報はデバイスの他の構成要素に受け渡され得る。受信機710は、図10を参照して説明されるトランシーバ1035の態様の例であり得る。受信機710は、単一のアンテナまたはアンテナのセットを利用し得る。
【０１１３】
UE通信マネージャ715は、図10を参照して説明されるUE通信マネージャ1015の態様の例であり得る。
【０１１４】
UE通信マネージャ715および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ715、および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明される機能を実行するように設計されたそれらの任意の組合せによって実行され得る。UE通信マネージャ715、および/またはその様々な副構成要素のうちの少なくともいくつかは、機能の部分が1つまたは複数の物理デバイスによって異なる物理的位置に実装されるように分散されることを含めて、様々な場所に物理的に位置し得る。いくつかの例では、UE通信マネージャ715および/またはその様々な副構成要素のうちの少なくともいくつかは、本開示の態様による別個のおよび異なる構成要素であり得る。他の例では、UE通信マネージャ715および/またはその様々な副構成要素のうちの少なくともいくつかは、限定はされないが、I/O構成要素、トランシーバ、ネットワークサーバ、別のコンピューティングデバイス、本開示で説明された1つまたは複数の他の構成要素、または本開示の態様によるそれらの組合せを含む、1つまたは複数の他のハードウェア構成要素と組み合わされ得る。
【０１１５】
UE通信マネージャ715は、第1の監視期間と関連付けられるスロットのセットのために第1の監視期間の間に第1のSFIを受信し、第1の監視期間より時間長が短く第1の監視期間内にある第2の監視期間の間に第2のSFIを受信し、第2のSFIが第2の監視期間と関連付けられるスロットのサブセットのためのスロットフォーマットの指示を含み、第1のSFIおよび第2のSFIに基づいて、スロットのサブセットを介してワイヤレス通信を実行し得る。
【０１１６】
送信機720は、デバイスの他の構成要素によって生成された信号を送信し得る。いくつかの例では、送信機720は、トランシーバモジュールの中の受信機710と併置され得る。たとえば、送信機720は、図10を参照して説明されるトランシーバ1035の態様の例であり得る。送信機720は、単一のアンテナまたはアンテナのセットを利用し得る。
【０１１７】
図8は、本開示の態様による、マルチレベルSFIをサポートするワイヤレスデバイス805のブロック図800を示す。ワイヤレスデバイス805は、図7を参照して説明されるようなワイヤレスデバイス705またはUE115の態様の例であり得る。ワイヤレスデバイス805は、受信機810、UE通信マネージャ815、および送信機820を含み得る。ワイヤレスデバイス805はプロセッサも含み得る。これらの構成要素の各々は、(たとえば、1つまたは複数のバスを介して)互いに通信していることがある。
【０１１８】
受信機810は、パケット、ユーザデータ、または様々な情報チャネル(たとえば、制御チャネル、データチャネル、ならびにマルチレベルSFIに関する情報など)と関連付けられる制御情報などの情報を受信し得る。情報はデバイスの他の構成要素に受け渡され得る。受信機810は、図10を参照して説明されるトランシーバ1035の態様の例であり得る。受信機810は、単一のアンテナまたはアンテナのセットを利用し得る。
【０１１９】
UE通信マネージャ815は、図10を参照して説明されるUE通信マネージャ1015の態様の例であり得る。UE通信マネージャ815はまた、第1レベルSFIマネージャ825と、第2レベルSFIマネージャ830と、スロット通信マネージャ835とを含み得る。第1レベルSFIマネージャ825は、第1の監視期間と関連付けられるスロットのセットのために、第1の監視期間の間に第1のSFIを受信し得る。
【０１２０】
第2レベルSFIマネージャ830は、第1の監視期間より時間長が短く第1の監視期間内にある第2の監視期間の間に第2のSFIを受信することができ、第2のSFIは第2の監視期間と関連付けられるスロットのサブセットのためのスロットフォーマットの指示を含む。
【０１２１】
スロット通信マネージャ835は、第1のSFIおよび第2のSFIに基づいて、スロットのサブセットを介してワイヤレス通信を実行し得る。いくつかの場合、第1の監視期間はTxOPに対するものであり、第2の監視期間はTxOP内にある1つまたは複数のスロットに対するものである。いくつかの場合、スロットのサブセットは、1つのスロットまたは1つより多くのスロットを含む。
【０１２２】
送信機820は、デバイスの他の構成要素によって生成された信号を送信し得る。いくつかの例では、送信機820は、トランシーバモジュールの中の受信機810と併置され得る。たとえば、送信機820は、図10を参照して説明されるトランシーバ1035の態様の例であり得る。送信機820は、単一のアンテナまたはアンテナのセットを利用し得る。
【０１２３】
図9は、本開示の態様による、マルチレベルSFIをサポートするUE通信マネージャ915のブロック図900を示す。UE通信マネージャ915は、図7、図8、および図10を参照して説明される、UE通信マネージャ715、UE通信マネージャ815、またはUE通信マネージャ1015の態様の例であり得る。UE通信マネージャ915は、第1レベルSFIマネージャ920と、第2レベルSFIマネージャ925と、スロット通信マネージャ930と、スロットフォーマットマネージャ935と、通信方向マネージャ940と、第3レベルSFIマネージャ945と、DCIマネージャ950と、構成マネージャ955とを含み得る。これらのモジュールの各々は、直接または間接的に(たとえば、1つまたは複数のバスを介して)互いに通信し得る。
【０１２４】
第1レベルSFIマネージャ920は、第1の監視期間と関連付けられるスロットのセットのために、第1の監視期間の間に第1のSFIを受信し得る。
【０１２５】
第2レベルSFIマネージャ925は、第1の監視期間より時間長が短く第1の監視期間内にある第2の監視期間の間に第2のSFIを受信することができ、第2のSFIは第2の監視期間と関連付けられるスロットのサブセットのためのスロットフォーマットの指示を含む。
【０１２６】
スロット通信マネージャ930は、第1のSFIおよび第2のSFIに基づいて、スロットのサブセットを介してワイヤレス通信を実行し得る。いくつかの場合、第1の監視期間はTxOPに対するものであり、第2の監視期間はTxOP内にある1つまたは複数のスロットに対するものである。いくつかの場合、スロットのサブセットは、1つのスロットまたは1つより多くのスロットを含む。
【０１２７】
スロットフォーマットマネージャ935は、特定された通信方向に基づいてスロットのサブセットを介してワイヤレス通信を実行することができ、第1のSFIは、スロットのサブセットのための構成情報を特定して示す制御情報を含み、構成情報を特定することは、第2のSFIに少なくとも一部基づいて、スロットのサブセットのためのスロットフォーマットを特定することを含む。いくつかの場合、ワイヤレス通信を実行することは、第1のSFIおよび第2のSFIに基づいて、スロットのサブセットの中のシンボルの少なくとも一部分の通信方向を特定することを含む。いくつかの場合、制御情報は、RACHリソース、フレームフォーマット指示、またはこれらの組合せの指示のうちの1つまたは複数を含む。
【０１２８】
通信方向マネージャ940は、スロットのサブセット内の1つまたは複数のシンボルに対して柔軟な通信方向を第1のSFIが示すと決定し、第2のSFIに基づいて1つまたは複数のシンボルの各々の通信方向を特定し得る。
【０１２９】
第3レベルSFIマネージャ945は、第2の監視期間より時間長が短く第2の監視期間内にある第3の監視期間の間に第3のSFIを受信することができ、第3のSFIは第3の監視期間と関連付けられるスロットのためのスロットフォーマットの指示を含む。いくつかの場合、第1の監視期間は、DMTCウィンドウのためのものであり、第2の監視期間は、DMTCウィンドウ内にあるTxOPのためのものであり、第3の監視期間は、TxOP内にあるスロットのためのものである。
【０１３０】
DCIマネージャ950は、第1のDCIフィールドにおいて第1のSFIを受信し、第1のDCIフィールドと異なる第2のDCIフィールドにおいて第2のSFIを受信し、共通のDCIフィールドにおいて第1のSFIおよび第2のSFIを受信し、第1のSFI、第2のSFI、または組合せを決定するために共通のDCIフィールドに対してジョイント解釈または連結解除のうちの少なくとも1つを実行し得る。
【０１３１】
構成マネージャ955は、第1の監視期間および第2の監視期間を示す構成メッセージを受信し得る。
【０１３２】
図10は、本開示の態様による、マルチレベルSFIをサポートするデバイス1005を含むシステム1000のブロック図を示す。デバイス1005は、たとえば、図7および図8を参照して上で説明されたようなワイヤレスデバイス705、ワイヤレスデバイス805、もしくはUE115の例であるか、またはその構成要素を含み得る。デバイス1005は、UE通信マネージャ1015と、プロセッサ1020と、メモリ1025と、ソフトウェア1030と、トランシーバ1035と、アンテナ1040と、入出力コントローラ1045とを含む、通信を送信および受信するための構成要素を含む双方向音声およびデータ通信のための構成要素を含み得る。これらの構成要素は、1つまたは複数のバス(たとえば、バス1010)を介して電子的に通信していることがある。デバイス1005は、1つまたは複数の基地局105とワイヤレスに通信し得る。
【０１３３】
プロセッサ1020は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ1020は、メモリコントローラを使用してメモリアレイを動作させるように構成され得る。他の場合には、メモリコントローラは、プロセッサ1020の中に統合され得る。プロセッサ1020は、様々な機能(たとえば、マルチレベルSFIをサポートする機能またはタスク)を実行するために、メモリに記憶されたコンピュータ可読命令を実行するように構成され得る。
【０１３４】
メモリ1025は、ランダムアクセスメモリ(RAM)および読取り専用メモリ(ROM)を含み得る。メモリ1025は、実行されると、本明細書で説明される様々な機能をプロセッサに実行させる命令を含む、コンピュータ可読のコンピュータ実行可能ソフトウェア1030を記憶し得る。いくつかの場合、メモリ1025は、特に、周辺構成要素または周辺デバイスとの対話などの基本的なハードウェア動作またはソフトウェア動作を制御し得る基本入出力システム(BIOS)を含み得る。
【０１３５】
ソフトウェア1030は、マルチレベルSFIをサポートするためのコードを含む、本開示の態様を実装するためのコードを含み得る。ソフトウェア1030は、システムメモリまたは他のメモリなどの非一時的コンピュータ可読媒体内に記憶され得る。いくつかの場合、ソフトウェア1030は、プロセッサによって直接実行可能ではないことがあるが、(たとえば、コンパイルされ実行されると)本明細書で説明される機能をコンピュータに実行させることがある。
【０１３６】
トランシーバ1035は、上で説明されたように、1つまたは複数のアンテナ、有線リンク、またはワイヤレスリンクを介して双方向に通信し得る。たとえば、トランシーバ1035はワイヤレストランシーバを表すことがあり、別のワイヤレストランシーバと双方向に通信することがある。トランシーバ1035はまた、パケットを変調し、変調されたパケットを送信のためにアンテナに提供し、アンテナから受信されたパケットを復調するためのモデムを含み得る。
【０１３７】
いくつかの場合、ワイヤレスデバイスは、単一のアンテナ1040を含み得る。しかしながら、いくつかの場合、デバイスは、複数のワイヤレス送信を同時に送信または受信することが可能であり得る、複数のアンテナ1040を有し得る。
【０１３８】
入出力コントローラ1045は、デバイス1005のための入力および出力信号を管理し得る。入出力コントローラ1045はまた、デバイス1005に組み込まれない周辺機器を管理し得る。いくつかの場合、入出力コントローラ1045は、外部周辺機器への物理接続またはポートを表し得る。いくつかの場合、入出力コントローラ1045は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。いくつかの場合、入出力コントローラ1045は、モデム、キーボード、マウス、タッチスクリーン、または同様のデバイスを表すか、またはそれらと対話し得る。いくつかの場合、入出力コントローラ1045は、プロセッサの一部として実装され得る。いくつかの場合、ユーザは、入出力コントローラ1045を介して、または入出力コントローラ1045によって制御されるハードウェア構成要素を介してデバイス1005と対話し得る。
【０１３９】
図11は、本開示の態様による、マルチレベルSFIをサポートするワイヤレスデバイス1005のブロック図1100を示す。ワイヤレスデバイス1105は、本明細書で説明されるような基地局105の態様の例であり得る。ワイヤレスデバイス1105は、受信機1110と、基地局通信マネージャ1115と、送信機1120とを含み得る。ワイヤレスデバイス1105はプロセッサも含み得る。これらの構成要素の各々は、(たとえば、1つまたは複数のバスを介して)互いに通信していることがある。
【０１４０】
受信機1110は、パケット、ユーザデータ、または様々な情報チャネル(たとえば、制御チャネル、データチャネル、ならびにマルチレベルSFIに関する情報など)と関連付けられる制御情報などの情報を受信し得る。情報はデバイスの他の構成要素に受け渡され得る。受信機1110は、図14を参照して説明されるトランシーバ1435の態様の例であり得る。受信機1110は、単一のアンテナまたはアンテナのセットを利用し得る。
【０１４１】
基地局通信マネージャ1115は、図14を参照して説明される基地局通信マネージャ1415の態様の例であり得る。
【０１４２】
基地局通信マネージャ1115、および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ1115および/またはその様々な副構成要素のうちの少なくともいくつかの機能は、汎用プロセッサ、DSP、ASIC、FPGAまたは他のプログラマブル論理デバイス、個別ゲートもしくはトランジスタ論理、個別ハードウェア構成要素、または本開示で説明される機能を実行するように設計されたそれらの任意の組合せによって実行され得る。基地局通信マネージャ1115、および/またはその様々な副構成要素のうちの少なくともいくつかは、機能の部分が1つまたは複数の物理デバイスによって異なる物理的位置に実装されるように分散されることを含めて、様々な場所に物理的に位置し得る。いくつかの例では、基地局通信マネージャ1115および/またはその様々な副構成要素のうちの少なくともいくつかは、本開示の態様による別個のおよび異なる構成要素であり得る。他の例では、基地局通信マネージャ1115および/またはその様々な副構成要素のうちの少なくともいくつかは、本開示の態様による、限定はされないが、I/O構成要素、トランシーバ、ネットワークサーバ、別のコンピューティングデバイス、本開示で説明される1つまたは複数の他の構成要素、またはそれらの組合せを含む、1つまたは複数の他のハードウェア構成要素と組み合わされ得る。
【０１４３】
基地局通信マネージャ1115は、第1の監視期間と関連付けられるスロットのセットのために第1の監視期間の間に第1のSFIを送信し、第1の監視期間より時間長が短く第1の監視期間内にある第2の監視期間の間に第2のSFIを送信し、第2のSFIが第2の監視期間と関連付けられるスロットのサブセットのためのスロットフォーマットの指示を含み、第1のSFIおよび第2のSFIに基づいて、スロットのサブセットを介してワイヤレス通信を実行し得る。
【０１４４】
送信機1120は、デバイスの他の構成要素によって生成される信号を送信し得る。いくつかの例では、送信機1120は、トランシーバモジュールの中の受信機1110と一緒に置かれ得る。たとえば、送信機1120は、図14を参照して説明されるトランシーバ1435の態様の例であり得る。送信機1120は、単一のアンテナまたはアンテナのセットを利用し得る。
【０１４５】
図12は、本開示の態様による、マルチレベルSFIをサポートするワイヤレスデバイス1205のブロック図1200を示す。ワイヤレスデバイス1205は、図11を参照して説明されたようなワイヤレスデバイス1105または基地局105の態様の例であり得る。ワイヤレスデバイス1205は、受信機1210、基地局通信マネージャ1215、および送信機1220を含み得る。ワイヤレスデバイス1205はプロセッサも含み得る。これらの構成要素の各々は、(たとえば、1つまたは複数のバスを介して)互いに通信していることがある。
【０１４６】
受信機1210は、パケット、ユーザデータ、または様々な情報チャネル(たとえば、制御チャネル、データチャネル、ならびにマルチレベルSFIに関する情報など)と関連付けられる制御情報などの情報を受信し得る。情報はデバイスの他の構成要素に受け渡され得る。受信機1210は、図14を参照して説明されるトランシーバ1435の態様の例であり得る。受信機1210は、単一のアンテナまたはアンテナのセットを利用し得る。
【０１４７】
基地局通信マネージャ1215は、図14を参照して説明される基地局通信マネージャ1415の態様の例であり得る。
【０１４８】
基地局通信マネージャ1215はまた、第1レベルSFIマネージャ1225と、第2レベルSFIマネージャ1230と、スロット通信マネージャ1235とを含み得る。
【０１４９】
第1レベルSFIマネージャ1225は、第1の監視期間と関連付けられるスロットのセットのために、第1の監視期間の間に第1のSFIを送信し得る。
【０１５０】
第2レベルSFIマネージャ1230は、第1の監視期間より時間長が短く第1の監視期間内にある第2の監視期間の間に第2のSFIを送信することができ、第2のSFIは第2の監視期間と関連付けられるスロットのサブセットのためのスロットフォーマットの指示を含む。
【０１５１】
スロット通信マネージャ1235は、第1のSFIおよび第2のSFIに基づいて、スロットのサブセットを介してワイヤレス通信を実行し得る。
【０１５２】
送信機1220は、デバイスの他の構成要素によって生成される信号を送信し得る。いくつかの例では、送信機1220は、トランシーバモジュールの中の受信機1210と一緒に置かれ得る。たとえば、送信機1220は、図14を参照して説明されるトランシーバ1435の態様の例であり得る。送信機1220は、単一のアンテナまたはアンテナのセットを利用し得る。
【０１５３】
図13は、本開示の態様による、マルチレベルSFIをサポートする基地局通信マネージャ1315のブロック図1300を示す。基地局通信マネージャ1315は、図11、図12、および図14を参照して説明される基地局通信マネージャ1415の態様の例であり得る。基地局通信マネージャ1315は、第1レベルSFIマネージャ1320と、第2レベルSFIマネージャ1325と、スロット通信マネージャ1330と、スロットフォーマットマネージャ1335と、通信方向マネージャ1340と、第3レベルSFIマネージャ1345と、DCIマネージャ1350と、構成マネージャ1355とを含み得る。これらのモジュールの各々は、直接的または間接的に(たとえば、1つまたは複数のバスを介して)互いに通信し得る。
【０１５４】
第1レベルSFIマネージャ1320は、第1の監視期間と関連付けられるスロットのセットのために、第1の監視期間の間に第1のSFIを送信し得る。
【０１５５】
第2レベルSFIマネージャ1325は、第1の監視期間より時間長が短く第1の監視期間内にある第2の監視期間の間に第2のSFIを送信することができ、第2のSFIは第2の監視期間と関連付けられるスロットのサブセットのためのスロットフォーマットの指示を含む。
【０１５６】
スロット通信マネージャ1330は、第1のSFIおよび第2のSFIに基づいて、スロットのサブセットを介してワイヤレス通信を実行し得る。
【０１５７】
スロットフォーマットマネージャ1335は、特定された通信方向に基づいてスロットのサブセットを介してワイヤレス通信を実行し、スロットのサブセットのための構成情報を特定して示す制御情報を含むように第1のSFIを構成し、スロットのサブセットのためのスロットフォーマットを示すように第2のSFIを構成し得る。いくつかの場合、ワイヤレス通信を実行することは、第1のSFIおよび第2のSFIに基づいて、スロットのサブセットの中のシンボルの少なくとも一部分の通信方向を特定することを含む。
【０１５８】
通信方向マネージャ1340は、スロットのサブセット内の1つまたは複数のシンボルに対して柔軟な通信方向を第1のSFIが示すと決定し、1つまたは複数のシンボルの各々の通信方向を示すように第2のSFIを構成し得る。
【０１５９】
第3レベルSFIマネージャ1345は、第2の監視期間より時間長が短く第2の監視期間内にある第3の監視期間の間に第3のSFIを送信することができ、第3のSFIは、第3の監視期間と関連付けられるスロットのためのスロットフォーマットの指示を含む。いくつかの場合、第1の監視期間は、DMTCウィンドウのためのものであり、第2の監視期間は、DMTCウィンドウ内にあるTxOPのためのものであり、第3の監視期間は、TxOP内にあるスロットのためのものである。
【０１６０】
DCIマネージャ1350は、第1のDCIフィールドにおいて第1のSFIを送信し、第1のDCIフィールドと異なる第2のDCIフィールドにおいて第2のSFIを送信し、第1のSFIおよび第2のSFIを送信するために共通のDCIフィールドに対してジョイント符号化または連結のうちの少なくとも1つを実行し、第1のSFIおよび第2のSFIを示すために共通のDCIフィールドを送信し得る。
【０１６１】
構成マネージャ1355は、第1の監視期間および第2の監視期間を示す構成メッセージを送信し得る。
【０１６２】
図14は、本開示の態様による、マルチレベルSFIをサポートするデバイス1405を含むシステム1400のブロック図を示す。デバイス1405は、たとえば、図1を参照して上で説明されたような、基地局105の構成要素の例であり、またはそれを含み得る。デバイス1405は、基地局通信マネージャ1415、プロセッサ1420、メモリ1425、ソフトウェア1430、トランシーバ1435、アンテナ1440、ネットワーク通信マネージャ1445、および局間通信マネージャ1450を含む、通信を送信および受信するための構成要素を含む双方向の音声とデータ通信のための構成要素を含み得る。これらの構成要素は、1つまたは複数のバス(たとえば、バス1410)を介して電子的に通信していることがある。デバイス1405は、1つまたは複数のUE115とワイヤレスに通信し得る。
【０１６３】
プロセッサ1420は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ1420は、メモリコントローラを使用してメモリアレイを動作させるように構成され得る。他の場合には、メモリコントローラは、プロセッサ1420へと統合され得る。プロセッサ1420は、様々な機能(たとえば、マルチレベルSFIをサポートする機能またはタスク)を実行するために、メモリに記憶されたコンピュータ可読命令を実行するように構成され得る。
【０１６４】
メモリ1425はRAMおよびROMを含み得る。メモリ1425は、実行されると、プロセッサに本明細書で説明される様々な機能を実行させる命令を含むコンピュータ可読のコンピュータ実行可能ソフトウェア1430を記憶し得る。いくつかの場合、メモリ1425は、特に、周辺構成要素またはデバイスとの対話などの、基本ハードウェアまたはソフトウェア動作を制御し得るBIOSを含み得る。
【０１６５】
ソフトウェア1430は、マルチレベルSFIをサポートするためのコードを含む、本開示の態様を実装するためのコードを含み得る。ソフトウェア1430は、システムメモリまたは他のメモリなどの、非一時的コンピュータ可読媒体に記憶され得る。いくつかの場合、ソフトウェア1430は、プロセッサによって直接実行可能ではないことがあるが、(たとえば、コンパイルおよび実行されると)本明細書で説明される機能をコンピュータに実行させ得る。
【０１６６】
トランシーバ1435は、上で説明されたように、1つまたは複数のアンテナ、有線リンク、またはワイヤレスリンクを介して、双方向に通信し得る。たとえば、トランシーバ1435は、ワイヤレストランシーバを表すことができ、別のワイヤレストランシーバと双方向に通信することができる。トランシーバ1435はまた、パケットを変調し、変調されたパケットを送信するためにアンテナに与え、アンテナから受信されたパケットを復調するためのモデムを含み得る。
【０１６７】
いくつかの場合、ワイヤレスデバイスは、単一のアンテナ1440を含み得る。しかしながら、いくつかの場合、デバイスは、複数のワイヤレス送信を同時に送信または受信することが可能であり得る複数のアンテナ1440を有し得る。
【０１６８】
ネットワーク通信マネージャ1445は、(たとえば、1つまたは複数の有線バックホールリンクを介して)コアネットワークとの通信を管理し得る。たとえば、ネットワーク通信マネージャ1445は、1つまたは複数のUE115などの、クライアントデバイスのためのデータ通信の転送を管理し得る。
【０１６９】
局間通信マネージャ1450は、他の基地局105との通信を管理することができ、他の基地局105と協働してUE115との通信を制御するためのコントローラまたはスケジューラを含み得る。たとえば、局間通信マネージャ1450は、ビームフォーミングまたはジョイント送信などの様々な干渉緩和技法のために、UE115への送信のスケジューリングを協調させ得る。いくつかの例では、局間通信マネージャ1450は、基地局105間の通信を行うために、LTE/LTE-Aワイヤレス通信ネットワーク技術内のX2インターフェースを与え得る。
【０１７０】
図15は、本開示の態様による、マルチレベルSFIのための方法1500を示すフローチャートを示す。方法1500の動作は、本明細書で説明されたように、UE115またはその構成要素によって実施され得る。たとえば、方法1500の動作は、図7〜図10を参照して説明されたようなUE通信マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１７１】
1505において、UE115は、第1の監視期間と関連付けられるスロットのセットのために、第1の監視期間の間に第1のSFIを受信し得る。1505の動作は、本明細書で説明される方法に従って実行され得る。いくつかの例では、1505の動作の態様は、図7〜図10を参照して説明されたように、第1レベルSFIマネージャによって実行され得る。
【０１７２】
1510において、UE115は、第1の監視期間より時間長が短く第1の監視期間内にある第2の監視期間の間に第2のSFIを受信することができ、第2のSFIは第2の監視期間と関連付けられるスロットのサブセットのためのスロットフォーマットの指示を備える。1510の動作は、本明細書で説明される方法に従って実行され得る。いくつかの例では、1510の動作の態様は、図7〜図10を参照して説明されたように、第2レベルSFIマネージャによって実行され得る。
【０１７３】
1515において、UE115は、第1のSFIおよび第2のSFIに少なくとも一部基づいて、スロットのサブセットを介してワイヤレス通信を実行し得る。1515の動作は、本明細書で説明される方法に従って実行され得る。いくつかの例では、1515の動作の態様は、図7〜図10を参照して説明されたような、スロット通信マネージャによって実行され得る。
【０１７４】
図16は、本開示の態様による、マルチレベルSFIのための方法1600を示すフローチャートを示す。方法1600の動作は、本明細書で説明されたような、UE115またはその構成要素によって実施され得る。たとえば、方法1600の動作は、図7〜図10を参照して説明されたような、UE通信マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１７５】
1605において、UE115は、第1の監視期間と関連付けられるスロットのセットのために、第1の監視期間の間に第1のSFIを受信し得る。1605の動作は、本明細書で説明される方法に従って実行され得る。いくつかの例では、1605の動作の態様は、図7〜図10を参照して説明されたように、第1レベルSFIマネージャによって実行され得る。
【０１７６】
1610において、UE115は、第1の監視期間より時間長が短く第1の監視期間内にある第2の監視期間の間に第2のSFIを受信することができ、第2のSFIは第2の監視期間と関連付けられるスロットのサブセットのためのスロットフォーマットの指示を備える。1610の動作は、本明細書で説明される方法に従って実行され得る。いくつかの例では、1610の動作の態様は、図7〜図10を参照して説明されたような、第2レベルSFIによって実行され得る。
【０１７７】
1615において、UE115は、第1のSFIおよび第2のSFIに少なくとも一部基づいて、スロットのサブセットを介してワイヤレス通信を実行し得る。1615の動作は、本明細書で説明される方法に従って実行され得る。いくつかの例では、1615の動作の態様は、図7〜図10を参照して説明されたような、スロット通信マネージャによって実行され得る。
【０１７８】
1620において、UE115は、スロットのサブセット内の1つまたは複数のシンボルに対して柔軟な通信方向を第1のSFIが示すと決定し得る。1620の動作は、本明細書で説明される方法に従って実行され得る。いくつかの例では、1620の動作の態様は、図7〜図10を参照して説明されたような、通信方向マネージャによって実行され得る。
【０１７９】
1625において、UE115は、第2のSFIに少なくとも一部基づいて、1つまたは複数のシンボルの各々の通信方向を特定し得る。1625の動作は、本明細書で説明される方法に従って実行され得る。いくつかの例では、1625の動作の態様は、図7〜図10を参照して説明されたような、通信方向マネージャによって実行され得る。
【０１８０】
図17は、本開示の態様による、マルチレベルSFIのための方法1700を示すフローチャートを示す。方法1700の動作は、本明細書で説明されたような基地局105またはその構成要素によって実施され得る。たとえば、方法1700の動作は、図11〜図14を参照して説明されたような、基地局通信マネージャによって実行され得る。いくつかの例では、基地局105は、以下で説明される機能を実行するようにデバイスの機能要素を制御するためのコードのセットを実行し得る。加えて、または代わりに、基地局105は、専用ハードウェアを使用して以下で説明される機能の態様を実行し得る。
【０１８１】
1705において、基地局105は、第1の監視期間と関連付けられるスロットのセットのために、第1の監視期間の間に第1のSFIを送信し得る。1705の動作は、本明細書で説明される方法に従って実行され得る。いくつかの例では、1705の動作の態様は、図11〜図14を参照して説明されたように、第1レベルSFIマネージャによって実行され得る。
【０１８２】
1710において、基地局105は、第1の監視期間より時間長が短く第1の監視期間内にある第2の監視期間の間に第2のSFIを送信することができ、第2のSFIは第2の監視期間と関連付けられるスロットのサブセットのためのスロットフォーマットの指示を備える。1710の動作は、本明細書で説明される方法に従って実行され得る。いくつかの例では、1710の動作の態様は、図11〜図14を参照して説明されたように、第2レベルSFIマネージャによって実行され得る。
【０１８３】
1715において、基地局105は、第1のSFIおよび第2のSFIに少なくとも一部基づいて、スロットのサブセットを介してワイヤレス通信を実行し得る。1715の動作は、本明細書で説明される方法に従って実行され得る。いくつかの例では、1715の動作の態様は、図11〜図14を参照して説明されたような、スロット通信マネージャによって実行され得る。
【０１８４】
図18は、本開示の態様による、マルチレベルSFIのための方法1800を示すフローチャートを示す。方法1800の動作は、本明細書で説明されるように、基地局105またはその構成要素によって実施され得る。たとえば、方法1800の動作は、図11〜図14を参照して説明されたような、基地局通信マネージャによって実行され得る。いくつかの例では、基地局105は、以下で説明される機能を実行するようにデバイスの機能要素を制御するためのコードのセットを実行し得る。加えて、または代わりに、基地局105は、専用ハードウェアを使用して、以下で説明される機能の態様を実行し得る。
【０１８５】
1805において、基地局105は、第1の監視期間と関連付けられるスロットのセットのために、第1の監視期間の間に第1のSFIを送信し得る。1805の動作は、本明細書で説明される方法に従って実行され得る。いくつかの例では、1805の動作の態様は、図11〜図14を参照して説明されたような、第1レベルSFIマネージャによって実行され得る。
【０１８６】
1810において、基地局105は、第1の監視期間より時間長が短く第1の監視期間内にある第2の監視期間の間に第2のSFIを送信することができ、第2のSFIは第2の監視期間と関連付けられるスロットのサブセットのためのスロットフォーマットの指示を備える。1810の動作は、本明細書で説明される方法に従って実行され得る。いくつかの例では、1810の動作の態様は、図11〜図14を参照して説明されたような、第2レベルSFIマネージャによって実行され得る。
【０１８７】
1815において、基地局105は、第2の監視期間より時間長が短く第2の監視期間内にある第3の監視期間の間に第3のSFIを送信することができ、第3のSFIは、第3の監視期間と関連付けられるスロットのためのスロットフォーマットの指示を備える。1815の動作は、本明細書で説明される方法に従って実行され得る。いくつかの例では、1815の動作の態様は、図11〜図14を参照して説明されたような、第3レベルSFIマネージャによって実行され得る。
【０１８８】
1820において、基地局105は、第1のSFIおよび第2のSFIに少なくとも一部基づいて、スロットのサブセットを介してワイヤレス通信を実行し得る。1820の動作は、本明細書で説明される方法に従って実行され得る。いくつかの例では、1820の動作の態様は、図11〜図14を参照して説明されたような、スロット通信マネージャによって実行され得る。
【０１８９】
上で説明された方法は可能な実装形態を表すこと、動作およびステップが再構成されるかまたは場合によっては変更され得ること、ならびに他の実装形態が可能であることに留意されたい。さらに、方法のうちの2つ以上からの態様が組み合わされ得る。
【０１９０】
本明細書で説明された技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMAシステムは、CDMA2000、Universal Terrestrial Radio Access(UTRA)などの無線技術を実装し得る。CDMA2000は、IS-2000、IS-95およびIS-856規格をカバーする。IS-2000のリリースは、通常、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))と、CDMAの他の変形とを含む。TDMAシステムは、Global System for Mobile Communications(GSM)などの無線技術を実装し得る。
【０１９１】
OFDMAシステムは、Ultra Mobile Broadband(UMB)、E-UTRA、米国電気電子技術者協会(IEEE) 802.11(Wi-Fi)、IEEE 802.16(WiMAX)、IEEE 802.20、Flash-OFDMなどの無線技術を実装し得る。UTRAおよびE-UTRAは、Universal Mobile Telecommunications System(UMTS)の一部である。LTE、LTE-A、およびLTE-A Proは、E-UTRAを使用するUMTSのリリースである。UTRA、E-UTRA、UMTS、LTE、LTE-A、LTE-A Pro、NR、およびGSMは、「第3世代パートナーシッププロジェクト」(3GPP)という名称の団体からの文書の中に記載されている。CDMA2000およびUMBは、「第3世代パートナーシッププロジェクト2」(3GPP2)という名称の組織からの文書に記載されている。本明細書で説明された技法は、上述のシステムおよび無線技術、ならびに他のシステムおよび無線技術に使用され得る。LTE、LTE-A、LTE-A Pro、またはNRシステムの態様が例として説明されることがあり、LTE、LTE-A、LTE-A Pro、またはNRの用語が説明の大部分において使用されることがあるが、本明細書で説明される技法は、LTE、LTE-A、LTE-A Pro、またはNRの適用例以外に適用可能である。
【０１９２】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることができ、フェムトセルとの関連付けを有するUE115(たとえば、限定加入者グループ(CSG)中のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数(たとえば、2つ、3つ、4つなど)のセルをサポートすることができ、1つまたは複数のコンポーネントキャリアを使用する通信もサポートすることができる。
【０１９３】
本明細書で説明される1つまたは複数のワイヤレス通信システム100は、同期動作または非同期動作をサポートし得る。同期動作の場合、基地局105は、同様のフレームタイミングを有することがあり、異なる基地局105からの送信は、時間的にほぼ揃えられることがある。非同期動作の場合、基地局105は、異なるフレームタイミングを有することがあり、異なる基地局105からの送信は、時間的に揃えられないことがある。本明細書で説明される技法は、同期動作または非同期動作のいずれかのために使用され得る。
【０１９４】
本明細書で説明された情報および信号は、多種多様な技術および技法のいずれを使用して表されてもよい。たとえば、上記の説明全体にわたって言及され得るデータ、命令、コマンド、情報、信号、ビット、シンボルおよびチップは、電圧、電流、電磁波、磁場もしくは磁性粒子、光場または光学粒子、またはそれらの任意の組合せによって表され得る。
【０１９５】
本明細書の本開示に関して説明される様々な例示的なブロックおよびモジュールは、汎用プロセッサ、DSP、ASIC、FPGAもしくは他のプログラマブル論理デバイス(PLD)、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであってもよいが、代わりに、プロセッサは、任意の従来のプロセッサ、コントローラ、マイクロコントローラ、または状態機械であってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１９６】
本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されるか、またはコンピュータ可読媒体を介して送信され得る。他の例および実装形態は、本開示および添付の特許請求の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的位置に実装されるように分散されることを含めて、様々な場所に物理的に配置されてもよい。
【０１９７】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され、汎用コンピュータもしくは専用コンピュータまたは汎用プロセッサもしくは専用プロセッサによってアクセスされ得る任意の他の非一時的媒体を含み得る。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ディスク(disk)は、通常、データを磁気的に再生し、ディスク(disc)は、データをレーザーで光学的に再生する。上記のものの組合せも、コンピュータ可読媒体の範囲内に含まれる。
【０１９８】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される、「に基づいて」という句は、条件の閉集合への参照と解釈されないものとする。たとえば、「条件Aに基づいて」として説明した例示的なステップは、本開示の範囲から逸脱することなく、条件Aと条件Bの両方に基づき得る。言い換えれば、本明細書で使用される「に基づいて」という句は、「に少なくとも一部基づいて」という句と同様にして解釈されるものとする。
【０１９９】
添付の図では、同様の構成要素または特徴は同じ参照ラベルを有し得る。さらに、同じタイプの様々な構成要素は、参照ラベルの後に、ダッシュと、それらの同様の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０２００】
添付の図面に関して本明細書に記載される説明は、例示的な構成について説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形式で示される。
【０２０１】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０２０２】
100  ワイヤレス通信システム
105  基地局
110  地理的カバレッジエリア
115  UE
125  通信リンク
130  コアネットワーク
132  バックホールリンク
134  バックホールリンク
200  SFI構成
205  スロット
210  レベル1SFI
215  レベル2SFI
220  第1の監視期間
225  第2の監視期間
300  SFI構成
305  スロット
310  レベル1SFI
315  レベル2SFI
320  レベル3SFI
325  第1の監視期間
330  第2の監視期間
335  第3の監視期間
400  SFIテーブル
405  行
410  列
500  SFI構成
505  スロット
510  レベル1および2SFI
515  レベル2SFI
520  第1の監視期間
525  第2の監視期間
600  プロセス
605  基地局
610  UE
700  ブロック図
705  ワイヤレスデバイス
710  受信機
715  UE通信マネージャ
720  送信機
800  ブロック図
805  ワイヤレスデバイス
810  受信機
815  UE通信マネージャ
820  送信機
825  第1レベルSFIマネージャ
830  第2レベルSFIマネージャ
835  スロット通信マネージャ
900  ブロック図
915  UE通信マネージャ
920  第1レベルSFIマネージャ
925  第2レベルSFIマネージャ
930  スロット通信マネージャ
935  スロットフォーマットマネージャ
940  通信方向マネージャ
945  第3のレベルSFIマネージャ
950  DCIマネージャ
955  構成マネージャ
1000  システム
1005  デバイス
1010  バス
1015  UE通信マネージャ
1020  プロセッサ
1025  メモリ
1030  ソフトウェア
1035  トランシーバ
1040  アンテナ
1045  I/Oコントローラ
1100  ブロック図
1105  ワイヤレスデバイス
1110  受信機
1115  基地局通信マネージャ
1120  送信機
1200  ブロック図
1205  ワイヤレスデバイス
1210  受信機
1215  基地局通信マネージャ
1220  送信機
1225  第1レベルSFIマネージャ
1230  第2レベルSFIマネージャ
1235  スロット通信マネージャ
1300  ブロック図
1315  基地局通信マネージャ
1320  第1レベルSFIマネージャ
1325  第2レベルSFIマネージャ
1330  スロット通信マネージャ
1335  スロットフォーマットマネージャ
1340  通信方向マネージャ
1345  第3のレベルSFIマネージャ
1350  DCIマネージャ
1355  構成マネージャ
1400  システム
1405  デバイス
1410  バス
1415  基地局通信マネージャ
1420  プロセッサ
1425  メモリ
1430  ソフトウェア
1435  トランシーバ
1440  アンテナ
1445  ネットワーク通信マネージャ
1450  局間通信マネージャ
1500  方法
1600  方法
1700  方法
【図１】
2021507604.tif 000003
【図２】
2021507604.tif 000004
【図３】
2021507604.tif 000005
【図４】
2021507604.tif 000006
【図５】
2021507604.tif 000007
【図６】
2021507604.tif 000008
【図７】
2021507604.tif 000009
【図８】
2021507604.tif 000010
【図９】
2021507604.tif 000011
【図１０】
2021507604.tif 000012
【図１１】
2021507604.tif 000013
【図１２】
2021507604.tif 000014
【図１３】
2021507604.tif 000015
【図１４】
2021507604.tif 000016
【図１５】
2021507604.tif 000017
【図１６】
2021507604.tif 000018
【図１７】
2021507604.tif 000019
【図１８】
2021507604.tif 000020
【国際調査報告】
2021507604.tif 000021
2021507604.tif 000022
2021507604.tif 000023